(57)【要約】【課題】見た目が良好なウォーターサーバーを提供する。【解決手段】ウォーターサーバーは、飲料水を貯蔵する袋５３と、袋５３を収納し、奥行方向の寸法より上下方向の寸法が大きいカートリッジ１０Ｆと、カートリッジ１０Ｆの下面から上方に伸び、袋５３に下側から上方向に突き刺さる針状のニードル部２０Ａと、袋５３内に貯蔵された飲料水がニードル部２０Ａを経由して吐水される飲料水吐水部２３とを備えている。【選択図】図１
2018058644.tif 000002
【特許請求の範囲】
【請求項１】
水を貯蔵する容器と、
前記容器を収納し、奥行方向の寸法より上下方向の寸法が大きい収納部と、
前記収納部の下面から上方に伸び、前記容器に下側から上方向に突き刺さる針状の流入管部と、
前記容器内に貯蔵された水が前記流入管部を経由して吐水される吐水部と、
を備えていることを特徴とするウォーターサーバー。
【請求項２】
水を貯蔵する容器と、
前記容器を収納する収納部と、
前記収納部の下面から上方に伸び、前記容器に下側から上方向に突き刺さる針状の流入管部と、
前記容器内に貯蔵された水が前記流入管部を経由して吐水される吐水部と、
を備え、
前記収納部は、掛止部を有し、
前記容器は、貯蔵した水が排出されるにしたがって外形が変形するものであり、前記収納部内に吊り下げられるように、前記掛止部に掛止する被掛止部を有していることを特徴とするウォーターサーバー。
【請求項３】
前記収納部は、掛止部を有し、
前記容器は、貯蔵した水が排出されるにしたがって外形が変形するものであり、前記収納部内に吊り下げられるように、前記掛止部に掛止する被掛止部を有していることを特徴とする請求項１に記載のウォーターサーバー。
【請求項４】
前記掛止部は、
一対が前記収納部の上側であり、幅方向の互いに離れた位置に設けられ、
前記被掛止部は、
一対が、奥行方向の寸法よりも上下方向の寸法を大きい向きにした前記容器の上側であり、幅方向の両端部に設けられていることを特徴とする請求項２又は３に記載のウォーターサーバー。
【請求項５】
前記掛止部は、
前記収納部の奥行方向の中央部に設けられていることを特徴とする請求項２乃至４のいずれか１項に記載のウォーターサーバー。
【請求項６】
前記収納部が着脱自在であることを特徴とする請求項１乃至５のいずれか１項に記載のウォーターサーバー。
【請求項７】
前記収納部が、吐水口より上側に配置されていることを特徴とする請求項１乃至６のいずれか１項に記載のウォーターサーバー。
【発明の詳細な説明】
【技術分野】
【０００１】
本発明は、ウォーターサーバーに関するものである。
【背景技術】
【０００２】
特許文献１は従来のウォーターサーバーを開示している。このウォーターサーバーは上部に水袋を取り付け、その水袋内の飲料水を内部の容器に保持して加熱、及び冷却しておき、使用者がいつでも取り出すことができる。また、このウォーターサーバーは水袋内の飲料水がなくなると、新たな水袋を付け替えて使用することができる。また、このウォーターサーバーは、新たな水袋を付け替えて使用する際、水袋の前方に設けられ、奥行方向に伸びて先端が後側に向けて設けられたニードル管を水袋の前側に突き刺す。これにより、このウォーターサーバーは飲料水をウォーターサーバー内に導入することができる。
【先行技術文献】
【特許文献】
【０００３】
【特許文献１】特開２０１４−５００６号公報
【発明の概要】
【発明が解決しようとする課題】
【０００４】
このウォーターサーバーは、奥行方向に伸びたニードル管が水袋の前方に設けられている。つまり、このウォーターサーバーはニードル管の長さ、及び水袋の厚みのそれぞれの寸法の合計で奥行の大きさが決まる。つまり、このウォーターサーバーは奥行方向の寸法をニードル管の長さ、及び水袋の厚みのそれぞれの寸法の合計より小さくすることができない。
【０００５】
本発明は上記従来の事情に鑑みてなされたものであって、より薄型のウォーターサーバーを提供することを解決すべき課題としている。
【課題を解決するための手段】
【０００６】
第１発明のウォーターサーバーは、
水を貯蔵する容器と、
前記容器を収納し、奥行方向の寸法より上下方向の寸法が大きい収納部と、
前記収納部の下面から上方に伸び、前記容器に下側から上方向に突き刺さる針状の流入管部と、
前記容器内に貯蔵された水が前記流入管部を経由して吐水される吐水部と、
を備えている。
【０００７】
このウォーターサーバーは飲料水を貯蔵する容器を、奥行方向の寸法よりも上下方向の寸法を大きい収納部に収納することができる。さらに、流入管部が収納部の下面から上方に伸びており、容器に下側から上方向に突き刺すことができる。つまり、このウォーターサーバーは水を貯蔵した容器を奥行方向の寸法よりも上下方向の寸法を大きい収納部に収納すると共に、流入管部を容器の直下に配置している。このため、このウォーターサーバーは奥行方向の寸法をより小さくして薄型にすることができる。
【０００８】
また、第２発明のウォーターサーバーは、
水を貯蔵する容器と、
前記容器を収納する収納部と、
前記収納部の下面から上方に伸び、前記容器に下側から上方向に突き刺さる針状の流入管部と、
前記容器内に貯蔵された水が前記流入管部を経由して吐水される吐水部と、
を備え、
前記収納部は、掛止部を有し、
前記容器は、貯蔵した水が排出されるにしたがって外形が変形するものであり、前記収納部内に吊り下げられるように、前記掛止部に掛止する被掛止部を有している。
【０００９】
このウォーターサーバーは容器の被掛止部を収納部の掛止部に吊り下げるように掛止することができる。さらに、流入管部が収納部の下面から上方に伸びており、容器に下側から上方向に突き刺すことができる。また、この容器は飲料水が排出されるにしたがって外形が変形する。仮に、容器の被掛止部、及び収納部の掛止部が設けられていない場合、収納部に収納された容器から飲料水が排出されるにしたがって外形が変形しつつ収納部の底壁に向けて収縮する。すると、容器の下側に突き刺さった流入管部は収縮した容器の上側にも突き刺さり、容器を貫通するおそれがある。つまり、このウォーターサーバーは収納部の掛止部に容器の被掛止部を掛止して、容器を収納部内に吊り下げるように収納することによって、容器内から飲料水を排出しても、容器が収納部の底壁に向けて収縮することを抑えることができる。これにより、このウォーターサーバーは流入管部が容器を貫通することなく容器内に貯蔵された飲料水を良好にウォーターサーバー内に導入することができる。また、このウォーターサーバーは飲料水を貯蔵した容器の被掛止部を収納部の掛止部に吊り下げるように掛止して、容器を収納部に収納すると共に、流入管部を容器の直下に配置している。このため、このウォーターサーバーは奥行方向の寸法をより小さくして薄型にすることができる。
【００１０】
したがって、第１発明及び第２発明のウォーターサーバーは小型化することができ、設置する場所において占有する空間を小さく抑えることができる。
【図面の簡単な説明】
【００１１】
【図１】実施例１のウォーターサーバーの構成を示す概略図である。
【図２】実施例１のウォーターサーバーのカートリッジ、及び飲料水載置部を示す要部拡大図であり、（Ａ）はカートリッジを飲料水載置部に載置する前の状態を示し、（Ｂ）は、カートリッジの一対の突起部がカバー部材の一対の差込孔に挿通された状態を示し、（Ｃ）はカートリッジを飲料水載置部に載置して、ニードル部がカートリッジに収納された袋に突き刺さった状態を示す。
【図３】実施例１のウォーターサーバーの袋に飲料水が貯蔵された状態を示す斜視図である。
【図４】実施例１のウォーターサーバーの袋を形成する工程を示す概略図である。
【図５】実施例１のウォーターサーバーのカートリッジに飲料水を貯蔵した袋を収納した状態を前方から見た断面図、及び掛止部を前方から見た要部拡大図である。
【図６】実施例１のウォーターサーバーのカートリッジに飲料水を貯蔵した袋を収納した状態を右方向から見た断面図である。
【図７】実施例１のウォーターサーバーの飲料水載置部を上方から見た平面図である。
【図８】実施例１のウォーターサーバーの飲料水載置部導水路を斜め上から見た斜視図である。
【図９】実施例１のウォーターサーバーの炭酸ガス導入部及びボンベを示す要部拡大図である。
【図１０】実施例１のウォーターサーバーの炭酸水作成容器を示す断面図、及び回り止め部を逆止弁に挿通する状態を示す分解斜視図である。
【図１１】実施例１のウォーターサーバーの炭酸ガス噴射部、炭酸ガス流入部、及び貯留部の冷却水流入部を示す要部拡大図である。
【図１２】実施例１のウォーターサーバーの炭酸ガス噴射部開閉弁の炭酸ガス噴射口及び炭酸ガス流入部の逆止弁の炭酸ガス流入口が連通している状態を示す要部拡大図である。
【図１３】実施例１のウォーターサーバーの炭酸水作成容器を把持した状態を示す側面図であって、（Ａ）は貯留部の外周面と垂下部との間に指を差し込んで炭酸水作成容器を把持した状態であり、（Ｂ）は取手部の上端部に設けられた窪みに親指が嵌るように垂下部を把持した状態である。
【図１４】実施例１のウォーターサーバーの外観を示す正面図である。
【図１５】実施例１のウォーターサーバーの外観を示す側面図であって、壁面に隣り合い設置された状態を示す。
【図１６】図１４におけるＸ−Ｘ断面図である。
【図１７】図１４におけるＹ−Ｙ断面図である。
【図１８】図１４におけるＺ−Ｚ断面図である。
【図１９】実施例１のウォーターサーバーの背面操作部を示す要部拡大図である。
【図２０】実施例１のウォーターサーバーの飲料水吐水部導水路を前方右側の斜め上から見た斜視図である。
【図２１】実施例１のウォーターサーバーの熱水循環動作が開始して、熱水が装置内を循環して満たす様子を示す模式図である。
【図２２】実施例１のウォーターサーバーの熱水循環動作が終了して、飲料水冷却部導水路、飲料水冷却部、熱水循環路、及び飲料水吐水路に満たされた熱水が徐々に冷めた後、飲料水冷却部内の下側の所定の温度以下になった熱水を冷却して冷却水にする様子を示す模式図である。
【図２３】実施例１のウォーターサーバーの（Ａ）はカートリッジを飲料水載置部から取り外す様子を示し、（Ｂ）は飲料水が貯蔵された袋をカートリッジに収納する様子を示し、（Ｃ）は飲料水が貯蔵された袋を収納したカートリッジを飲料水載置部に載置する様子を示す斜視図である。
【図２４】実施例１のウォーターサーバーの（Ａ）は炭酸ガス導入部を回動させて炭酸ガス導入口の開口した下端をウォーターサーバー本体の前側に向ける様子を示し、（Ｂ）は炭酸ガス導入部のボンベ案内部の直線部の円筒状に開口した下端からボンベを挿入する様子を示し、（Ｃ）はボンベを炭酸ガス導入口にねじ込む様子を示し、（Ｄ）はヒンジ部を操作し、炭酸ガス導入部を回動させて炭酸ガス導入口の開口した下端を鉛直方向の下向きに向け、ボンベをウォーターサーバー本体内に収納する様子を示す斜視図である。
【図２５】実施例２のウォーターサーバーのカートリッジ、及び飲料水載置部を示す要部拡大図であり、（Ａ）はカートリッジを飲料水載置部に載置する前の状態を示し、（Ｂ）はカートリッジを飲料水載置部に載置した状態を示す。
【図２６】実施例２のウォーターサーバーのカートリッジに飲料水を貯蔵した袋を収納した状態を前方から見た要部拡大図である。
【図２７】実施例２のウォーターサーバーのカートリッジに飲料水を貯蔵した袋を収納した状態を右方向から見た要部拡大図である。
【図２８】実施例２のウォーターサーバーの炭酸ガス噴射部、炭酸ガス流入部、及び貯留部の冷却水流入部を示す要部拡大図である。
【図２９】実施例２のウォーターサーバーの炭酸ガス噴射部開閉弁の炭酸ガス噴射口及び炭酸ガス流入部の逆止弁の炭酸ガス流入口が連通している状態を示す要部拡大図である。
【発明を実施するための形態】
【００１２】
第１発明及び第２発明における好ましい実施の形態を説明する。
【００１３】
本発明の収納部は掛止部を有し、容器は貯蔵した水が排出されるにしたがって外形が変形するものであり、収納部内に吊り下げられるように、掛止部に掛止する被掛止部を有してもよい。この場合、このウォーターサーバーは容器から水が排出されて容器が変形しても、収納部の掛止部に容器の被掛止部を掛止して、容器を収納部内に吊り下げるように収納することによって、容器内の下部に水を集めることができる。これにより、このウォーターサーバーは容器内に貯蔵された水を無駄なくウォーターサーバー内に導入することができる。
【００１４】
本発明の掛止部は一対が収納部の上側であり、幅方向の互いに離れた位置に設けられ、被掛止部は一対が、奥行方向の寸法よりも上下方向の寸法を大きい向きにした容器の上側であり、幅方向の両端部に設けてもよい。この場合、このウォーターサーバーは一対の掛止部のそれぞれに一対の被掛止部を掛止することによって、容器から水が排出されて容器が変形する際に、容器にしわが形成されることを抑えることができる。これにより、このウォーターサーバーは容器内に貯蔵された水が容器に形成されたしわの部分に残留することを抑えることができるため、容器内から水を無駄なくウォーターサーバー内に導入することができる。
【００１５】
本発明の掛止部は、収納部の奥行方向の中央部に設けてもよい。この場合、このウォーターサーバーは掛止部に被掛止部を掛止することによって、収納部の奥行方向の中央部に水が貯蔵された容器を配置することができる。これにより、このウォーターサーバーは水が貯蔵された容器の重心を奥行方向の中央部に配置することができるため、安定して設置することができる。
【００１６】
本発明のウォーターサーバーは、収納部が着脱自在であってもよい。この場合、このウォーターサーバーは水が貯蔵された容器を収納部に収納する際、使用者の所望する場所で収納部に容器を収納することができる。つまり、このウォーターサーバーは使用者が作業しやすい場所で収納部に対して水が貯蔵された容器を収納することができる。
【００１７】
本発明のウォーターサーバーは、収納部が、吐水口より上側に配置されてもよい。この場合、このウォーターサーバーは、吐水口より上側に配置された収納部に収納された容器からウォーターサーバー内に水を導入することができる。つまり、このウォーターサーバーは重力によって水をウォーターサーバー内に導入することができる。これにより、このウォーターサーバーは水を導入するためのポンプ等を設けなくて済むため、より外形寸法を小さくすることができる。
【００１８】
次に、本発明のウォーターサーバーを具体化した実施例１、２について、図面を参照しつつ説明する。
【００１９】
＜実施例１＞
実施例１のウォーターサーバーは、図１に示すように、飲料水を供給する飲料水供給機能部１、炭酸ガスを供給する炭酸ガス供給機能部２、供給部１３、及び炭酸水作成容器４０を備えている。
【００２０】
飲料水供給機能部１は、飲料水載置部１０、収納部であるカートリッジ１０Ｆ、飲料水載置部導水路２０、飲料水冷却部１１、飲料水冷却部導水路２１、飲料水加熱部１２、飲料水吐水部導水路２２、及び吐水部である飲料水吐水部２３を有している。
【００２１】
飲料水載置部１０はウォーターサーバー本体５０の上端部に設けられている（図１、１４、１５参照。）。ウォーターサーバー本体５０は上下方向（上下は図１４における上側、下側である。以下同じ。）に長く形成されている。また、ウォーターサーバー本体５０の下端部５６が奥行方向（奥行は図１４における手前側、奥側である。以下同じ。）に伸びて形成されている。これにより、このウォーターサーバーは上端から下端部５６にかけて奥行方向の寸法を抑えつつ、設置する床面に対してより広い面積で当接することができる。このため、このウォーターサーバーは転倒し難くすると共に装置の見た目をすっきりさせることができる。
【００２２】
飲料水載置部１０は、図１、７に示すように、飲料水載置部底壁１０Ａ、立壁部１０Ｂ、カバー部材収納部１０Ｋ、カバー部材１０Ｄ、載置部バネ１０Ｅを有している。飲料水載置部底壁１０Ａは奥行方向に幅を有し左右方向（左右は図１４における左側、右側である。以下同じ。）（幅方向）に拡がった平板状をなしている。立壁部１０Ｂは飲料水載置部底壁１０Ａの前側の左右両端部、左右両側、及び後側から上方向に伸びている。立壁部１０Ｂは前側の左右両端部の互いに対向する２辺の間の寸法が上方向に向かうにつれて大きくなっている。また、立壁部１０Ｂは左右両側のそれぞれに互いに内側に向けて突出した立壁凸部１０Ｒが設けられている。これら立壁凸部１０Ｒは立壁部１０Ｂの左右両側の奥行方向の中央部に上下方向に伸びて設けられている。また、立壁部１０Ｂの内側、及び飲料水載置部底壁１０Ａの前側には飲料水載置部底壁１０Ａの上面から下方向に窪んで形成された溝部Ｇが設けられている。溝部Ｇには後述するカートリッジ１０ＦのリブＲを嵌め込まれる。
【００２３】
カバー部材収納部１０Ｋは、図１、２（Ａ）〜（Ｃ）に示すように、飲料水載置部底壁１０Ａの上面から下方向に窪んで形成されている。カバー部材収納部１０Ｋは円筒状をなしており、下端に円筒状の内側に向けて伸びたカバー部材収納部底壁１０Ｌが設けられている。カバー部材収納部底壁１０Ｌの中央部には上方向に伸びる円筒部１０Ｗが設けられており、円筒部１０Ｗに後述する飲料水載置部導水路２０が挿通している。また、円筒状をなしたカバー部材収納部１０Ｋの上端部には、一対のロック解除爪挿通孔１０Ｘが貫通して設けられている。これらロック解除爪挿通孔１０Ｘには後述するカバー部材１０Ｄのロック解除爪６０Ｂが挿通される。
【００２４】
また、飲料水載置部１０は、図７に示すように、飲料水載置部底壁１０Ａに３つの照明用貫通孔１０Ｓが貫通して設けられている。これら照明用貫通孔１０Ｓは立壁部１０Ｂの左右両側のそれぞれの立壁凸部１０Ｒに１つずつ隣り合い設けられ、カバー部材収納部１０Ｋの前側に隣り合い１つが設けられている。これら照明用貫通孔１０Ｓはそれぞれの下側にＬＥＤ素子（図示せず）が設けられ、後述する容器である袋５３やカートリッジ１０ＦにＬＥＤ素子が発した光を照射することができる。
【００２５】
カバー部材１０Ｄは、図１、２（Ａ）〜（Ｃ）に示すように、円筒状をなして上下方向に伸びている。カバー部材１０Ｄは円筒状の上端に円筒状の内側に向けて伸びた保護壁部１０Ｍが設けられている。保護壁部１０Ｍは中央部に上下方向に貫通してニードル挿通孔１０Ｎが設けられている。カバー部材１０Ｄは円筒状の下端が開口している。カバー部材１０Ｄは円筒状の下端部が飲料水載置部底壁１０Ａに設けられたカバー部材収納部１０Ｋに挿入されている。
さらに具体的には、カバー部材１０Ｄの保護壁部１０Ｍの外周縁部には、ニードル挿通孔１０Ｎを挟んで、一対の差込孔１０Ｚが設けられている。また、差込孔１０Ｚのそれぞれには上下方向に伸びるカバーロック解除ボタン６０が設けられている。これらカバーロック解除ボタン６０はカバー部材１０Ｄに対して上下方向に移動自在に取り付けられている。また、これらカバーロック解除ボタン６０は、カバー部材１０Ｄに対して第１バネ６０Ａで上方向に付勢されている。第１バネ６０Ａは圧縮コイルバネである。
また、これらカバーロック解除ボタン６０の下側のそれぞれには左右方向に伸びるロック解除爪６０Ｂが設けられている。これらロック解除爪６０Ｂは、円筒状のカバー部材１０Ｄの中心軸を挟んで、左右方向に移動自在に取り付けられている。また、これらロック解除爪６０Ｂは第２バネ６０Ｃでニードル挿通孔１０Ｎの中心軸から外方向に付勢されている。第２バネ６０Ｃは圧縮コイルバネである。また、これらロック解除爪６０Ｂのニードル挿通孔１０Ｎの中心軸に近い部分のそれぞれには、ニードル挿通孔１０Ｎの中心軸に近づきつつ上方向に傾斜する傾斜面を具備した傾斜面部６０Ｄが形成されている。これら傾斜面部６０Ｄのそれぞれの傾斜面にはカバーロック解除ボタン６０の下端が当接している。
こうして構成されたカバー部材１０Ｄのカバーロック解除ボタン６０をカバー部材１０Ｄに対して下方向に移動させると、カバーロック解除ボタン６０の下端によってロック解除爪６０Ｂの傾斜面部６０Ｄの傾斜面が押されて、ロック解除爪６０Ｂがニードル挿通孔１０Ｎの中心軸に近づく方向に移動する。
【００２６】
載置部バネ１０Ｅは飲料水載置部底壁１０Ａに設けられたカバー部材収納部１０Ｋとカバー部材１０Ｄとの間に設けられている。載置部バネ１０Ｅは圧縮コイルバネである。載置部バネ１０Ｅは上下方向に配置されて下端がカバー部材収納部１０Ｋのカバー部材収納部底壁１０Ｌの円筒部１０Ｗの上面に連結されている。また、載置部バネ１０Ｅは上端がカバー部材１０Ｄの保護壁部１０Ｍの下面に連結されている。これにより、カバー部材１０Ｄは上方向に載置部バネ１０Ｅの弾性力が付与されている。つまり、カバー部材１０Ｄは後述するカートリッジ１０Ｆを飲料水載置部１０に載置していない状態において、飲料水載置部導水路２０の流入管部であるニードル部２０Ａの周囲を覆うことができる。また、この状態において、カバー部材１０Ｄのロック解除爪６０Ｂがカバー部材収納部１０Ｋのロック解除爪挿通孔１０Ｘに挿通されている（図２（Ａ）参照。）。ロック解除爪６０Ｂはカバーロック解除ボタン６０をカバー部材１０Ｄに対して下方向に移動させないとカバー部材収納部１０Ｋのロック解除爪挿通孔１０Ｘから外れることがなく、カバー部材１０Ｄを下方向に移動させることができない。これにより、カバー部材１０Ｄは使用者等がニードル部２０Ａに不用意に触れることを抑えることができる。つまり、カートリッジ１０Ｆを飲料水載置部１０に載置しないと、カバー部材１０Ｄが下がりニードル部２０Ａが露出することがないため、ニードル部２０Ａに埃等が付着し難くでき、衛生的である。
また、カバー部材１０Ｄは一対のカバーロック解除ボタン６０のそれぞれを下方向に移動させて、一対のロック解除爪６０Ｂをカバー部材収納部１０Ｋのロック解除爪挿通孔１０Ｘから外した状態（図２（Ｂ）参照）で、上側から下方向に力が加えられると保護壁部１０Ｍとカバー部材収納部１０Ｋ内に収納することができ、保護壁部１０Ｍの上面と飲料水載置部底壁１０Ａの上面とが面一になる（図２（Ｃ）参照。）。また、カバー部材１０Ｄは上側から下方向に力を加えることを止めると載置部バネ１０Ｅの弾性力によって上方向に移動し、円筒状の下端部がカバー部材収納部１０Ｋに挿入されている状態に戻り、再び一対のロック解除爪６０Ｂがカバー部材収納部１０Ｋのロック解除爪挿通孔１０Ｘに挿通された状態になる（図２（Ａ）参照。）。
【００２７】
こうして構成された飲料水載置部１０は、飲料水が貯蔵された後述する袋５３を収納したカートリッジ１０Ｆを載置して、ウォーターサーバー内に飲料水を導入することができる。詳しくは、飲料水載置部１０は、飲料水が貯蔵された袋５３を収納したカートリッジ１０Ｆを載置すると、カートリッジ１０Ｆの一対の突起部１０Ｙがカバー部材１０Ｄの一対の差込孔１０Ｚに挿通される。すると、これら突起部１０Ｙの下端がカバーロック解除ボタン６０の上端に当接して、カバーロック解除ボタン６０をカバー部材１０Ｄに対して下方向に押し下げる。すると、カバー部材収納部１０Ｋのロック解除爪挿通孔１０Ｘに挿通していた一対のロック解除爪６０Ｂがロック解除爪挿通孔１０Ｘから外れる。そして、カバー部材１０Ｄの保護壁部１０Ｍがカートリッジ１０Ｆのカートリッジ底壁１０Ｇに当接してカバー部材１０Ｄが押し下げられる。このとき、保護壁部１０Ｍのニードル挿通孔１０Ｎに飲料水載置部導水路２０のニードル部２０Ａが挿通する。また、飲料水載置部１０は立壁部１０Ｂにカートリッジ１０Ｆの窪み部１０Ｐが嵌合する。また、図２３（Ｃ）に示すように、カートリッジ１０ＦのリブＲが飲料水載置部１０の溝部Ｇ（図７、２３（Ｃ）参照。）に嵌合する。また、図２（Ｃ）に示すように、飲料水載置部１０はカートリッジ１０Ｆのカートリッジ底壁１０Ｇの下面が飲料水載置部底壁１０Ａの上面に当接すると、飲料水載置部導水路２０のニードル部２０Ａの上端はカートリッジ底壁１０Ｇの貫通孔１０Ｑを挿通し、カートリッジ底壁１０Ｇの上側に突出しつつ、袋５３に突き刺さる。つまり、このウォーターサーバーは上側にカートリッジ１０Ｆが配置されている。そして、カートリッジ１０Ｆを飲料水載置部１０に載置すると同時に、ニードル部２０Ａの上端が袋５３に突き刺さる。また、このとき、飲料水が貯蔵された袋５３を収納したカートリッジ１０Ｆを飲料水載置部１０に載置するため、ポンプ等を設けることなく、飲料水を重力によってウォーターサーバー内に導入することができる。このため、このウォーターサーバーは、より外形寸法を小さくすることができる。
【００２８】
カートリッジ１０Ｆは、図１、５、６に示すように、カートリッジ底壁１０Ｇ、カートリッジ周壁１０Ｈ、及び上蓋１０Ｊを有している。カートリッジ１０Ｆは所定の色に着色された透明な合成樹脂で形成されている。これにより、飲料水載置部底壁１０Ａに３つの照明用貫通孔１０Ｓのそれぞれに設けられたＬＥＤ素子が発光すると、ＬＥＤ素子が発した光がカートリッジ１０Ｆを透過することができる。このため、このウォーターサーバーは透明な合成樹脂で形成されたカートリッジ１０Ｆ、及びＬＥＤ素子が発した光によって、水の残量を確認しやすくなるだけでなく、カートリッジ１０Ｆに当たった反射光により見た目をより良好にすることができる。
カートリッジ底壁１０Ｇは奥行方向に幅を有し左右方向に拡がった平板状をなしている。カートリッジ周壁１０Ｈはカートリッジ底壁１０Ｇの外周に連続して立ち上がっている。また、カートリッジ周壁１０Ｈの下端部はカートリッジ底壁１０Ｇより下方に突出して、リブＲを形成している。また、カートリッジ周壁１０Ｈの上端部は外周面から内方に向けて窪んで形成されたリブＲ２が設けられている（図６、２３（Ｂ）参照。）。カートリッジ１０Ｆは奥行方向の寸法より上下方向の寸法が大きい。カートリッジ１０Ｆには、奥行方向の寸法よりも上下方向の寸法を大きい向きにした袋５３が収納される（図６参照。）。カートリッジ周壁１０Ｈは外周面の下端部の前側の左右両端部、左右両側、及び後側が内側に向けて窪み形成された窪み部１０Ｐが形成されている（図２３（Ｃ）参照。）。窪み部１０Ｐは飲料水載置部１０の立壁部１０Ｂに嵌合する。
【００２９】
また、カートリッジ周壁１０Ｈは左右両側の外周からそれぞれカートリッジ内方に向けて窪ませた凹部１０Ｔが設けられている。これら凹部１０Ｔはカートリッジ周壁１０Ｈの左右両側の奥行方向の中央部に上下方向に伸びている。また、これら凹部１０Ｔはカートリッジ周壁１０Ｈの左右両側の上部から下端にかけて設けられている。これら凹部１０Ｔは飲料水載置部１０の一対の立壁凸部１０Ｒのそれぞれに嵌る。これにより、カートリッジ１０Ｆを飲料水載置部１０上に載置する際に、容易に位置決めすることができる。
【００３０】
また、これら凹部１０Ｔは使用者がカートリッジ１０Ｆを運搬する際の手掛かりにすることができる（図２３（Ｃ）参照。）。つまり、カートリッジ１０Ｆは使用者がこれら凹部１０Ｔに手を掛けることによって容易に運搬することができる。つまり、このウォーターサーバーはカートリッジ１０Ｆが着脱自在である。また、カートリッジ１０Ｆはこれら凹部１０Ｔの左右内側に凹部１０Ｔに沿うようにカートリッジ１０Ｆの内側に向けて形成されたカートリッジ内周凸部１０Ｕが設けられている。また、カートリッジ１０Ｆはこれらカートリッジ内周凸部１０Ｕのそれぞれが奥行方向の中央部に位置している。また、これらカートリッジ内周凸部１０Ｕの上側には一対の掛止部７０が設けられている。具体的には、これら掛止部７０は、図５に示すように、立壁部７０Ａ、掛止部７０をカートリッジ周壁１０Ｈに固定する固定部７０Ｂ、後述する上蓋１０Ｊを係止する上蓋係止部７０Ｃ、及び袋５３を係止する袋係止部７０Ｄを有している。立壁部７０Ａは平板状をなして上下方向に伸びている。
固定部７０Ｂは立壁部７０Ａの上端部から立壁部７０Ａに対して垂直方向に伸びる第１基部７０Ｅと、第１基部７０Ｅの先端から立壁部７０Ａに平行をなして垂下する垂下部７０Ｆとを具備している。
上蓋係止部７０Ｃは立壁部７０Ａの上端から上方向であって、固定部７０Ｂの第１基部７０Ｅが伸びる方向と反対の方向に傾斜して伸びている。また、上蓋係止部７０Ｃは上端部に一対の切欠き７０Ｇが設けられている（図６参照。）。また、上蓋係止部７０Ｃは上下方向の中央部であって、固定部７０Ｂの第１基部７０Ｅが伸びる方向と反対の方向に湾曲する湾曲部７０Ｈが形成されている。
袋係止部７０Ｄは平板状をなして立壁部７０Ａの下端部であって、固定部７０Ｂの第１基部７０Ｅが伸びる方向と反対の方向に伸びる第２基部７０Ｊと、平板状の第２基部７０Ｊの上面から上方向に円柱状をなして伸びる掛止部本体７０Ｋとを具備している。また、掛止部本体７０Ｋは上下中央より僅かに下方に外径が大きく形成された第１拡径部７０Ｌと、上端部に形成された第２拡径部７０Ｍを具備している。第２拡径部７０Ｍは上端に向かうにつれて細く形成されており、上端が上方向に尖っている。これにより、掛止部本体７０Ｋに後述する袋５３の被掛止部５３Ａを掛止する場合、第２拡径部７０Ｍの上端が細く形成されているため被掛止部５３Ａの掛止孔５３Ｂを容易に挿通することができる。また、第２拡径部７０Ｍの下端部、及び第１拡径部７０Ｌの下端部は掛止部本体７０Ｋから急激に外方向に突出しているため、挿通した被掛止部５３Ａの掛止孔５３Ｂが抜け難い。また、掛止部本体７０Ｋに掛止した袋５３の被掛止部５３Ａは第１拡径部７０Ｌ及び第２拡径部７０Ｍの２つを挿通することによって掛止部本体７０Ｋから不用意に外れ難くすることができる。
こうして形成された掛止部７０はカートリッジ内周凸部１０Ｕの上側に位置するカートリッジ周壁１０Ｈの上端に設けられた凹部１０Ｖに固定部７０Ｂを嵌め込みカートリッジ１０Ｆに対して固定されている（図６参照。）。つまり、一対の掛止部７０はカートリッジ１０Ｆの上側であり、左右方向の互いに離れた位置であって、カートリッジ１０Ｆの奥行方向の中央部に設けられている。また、カートリッジ底壁１０Ｇは上下方向に貫通して貫通孔１０Ｑが設けられている。貫通孔１０Ｑはカートリッジ１０Ｆを飲料水載置部１０に載置した際、カバー部材１０Ｄのニードル挿通孔１０Ｎに同軸上に連通する。また、カートリッジ１０Ｆのカートリッジ底壁１０Ｇには、下方向に突出して一対の突起部１０Ｙが設けられている。これら突起部１０Ｙは、貫通孔１０Ｑを挟み貫通孔１０Ｑの左右に１つずつ配置されている。
【００３１】
上蓋１０Ｊは前側が奥行方向に幅を有し左右方向に拡がっており、後側が前側の後端縁から後方下側に垂下している（図６、１５参照。）。上蓋１０Ｊは下面がカートリッジ周壁１０Ｈの上端に当接してカートリッジ周壁１０Ｈの上端に載置される。具体的には、上蓋１０Ｊの下面にはカートリッジ周壁１０ＨのリブＲ２が嵌まり込む。これにより、上蓋１０Ｊは載置されたカートリッジ周壁１０Ｈの上端において、水平方向にずれることがない。また、上蓋１０Ｊはカートリッジ周壁１０Ｈの上端に載置された状態において、固定部７０Ｂの上蓋係止部７０Ｃの湾曲部７０Ｈに嵌合部７０Ｎが嵌合する（図５参照。）。これにより、上蓋１０Ｊは載置されたカートリッジ周壁１０Ｈの上端から上方向に不用意に外れ難くすることができる。
【００３２】
こうして構成されたカートリッジ１０Ｆは飲料水が貯蔵された袋５３を収納することができる。袋５３はポリプロピレン等の透明な合成樹脂で形成されている。袋５３は、図３に示すように、内部に飲料水を貯蔵することができる。袋５３は貯蔵した飲料水が排出されるにしたがって縮み、外形が変形する。袋５３は４角形状をなしており、飲料水が貯蔵された状態において袋外周の４辺の長さと比べ、厚さ方向が薄く形成されている。つまり、袋５３は水を貯蔵し、外形が薄型である。また、袋５３は接合部５３Ｄ，５３Ｅが設けられている。接合部５３Ｄ，５３Ｅは袋５３を形成する際に袋５３の素材の端部同士を互いに重ねて接合した部分である。接合部５３Ｄは外周の４辺のうちの対向する２辺に設けられている。また、接合部５３Ｅは接合部５３Ｄのそれぞれの中央部を繋ぐように、袋５３の厚さ方向の一方の面に設けられている。接合部５３Ｄ，５３Ｅは厚く形成されるためニードル部２０Ａが突き刺し難い。また、袋５３は接合部５３Ｄのそれぞれに１つずつ掛止孔５３Ｂが貫通して設けられている。これら掛止孔５３Ｂは袋５３の外周の隣り合う角部に位置する接合部５３Ｄの端部のそれぞれに設けられている。掛止孔５３Ｂが設けられた接合部５３Ｄの端部は被掛止部５３Ａである。これら掛止孔５３Ｂは互いの間の寸法がカートリッジ１０Ｆに設けられた一対の掛止部７０の掛止部本体７０Ｋの互いの間の寸法とほぼ同じである。
【００３３】
ここで、袋５３を形成する工程について説明する。先ず、ポリプロピレン等の透明な合成樹脂で形成された材料シートＳを用意する（図４（Ａ）参照。）。この材料シートＳは外形が一方向に長い矩形状をなしている。次に、材料シートＳを筒状に形成する（図４（Ｂ）参照。）。詳しくは、矩形状をなした材料シートＳの向かい合う２つの辺のうちの短い辺の端部同士を互い重ねて接合して、接合部５３Ｅを形成する。次に、筒状をなした材料シートＳの開口した両端部のそれぞれを閉じる（図４（Ｃ）参照。）。詳しくは、筒状をなした材料シートＳの開口した両端部のそれぞれを閉じて接合し、接合部５３Ｄを形成する。このとき、接合部５３Ｅは接合部５３Ｄのそれぞれの中央部を繋ぐように、袋５３の厚さ方向の一方の面に配置されている。そして、接合部５３Ｄのそれぞれに掛止孔５３Ｂを貫通して設けて被掛止部５３Ａを形成する（図４（Ｄ）参照。）。こうして袋５３が形成される。
【００３４】
飲料水が貯蔵された袋５３は、透明な合成樹脂で形成されているため、飲料水載置部底壁１０Ａの３つの照明用貫通孔１０Ｓのそれぞれに設けられたＬＥＤ素子が発光すると、ＬＥＤ素子が発した光がカートリッジ１０Ｆを透過して、さらに袋５３を透過することができる。これにより、袋５３は内部に貯蔵された飲料水の量を容易に確認することができる。また、袋５３と飲料水とによって光が乱反射されるため、このウォーターサーバーは乱反射した光による装飾効果によって見た目をより良好にすることができる。
【００３５】
袋５３をカートリッジ１０Ｆに収納する場合、袋５３に設けられた一対の被掛止部５３Ａのそれぞれの近傍を把持して、それぞれの掛止孔５３Ｂをカートリッジ１０Ｆに設けられた一対の掛止部７０の掛止部本体７０Ｋに掛止する（図２３（Ｂ）参照。）。袋５３はカートリッジ１０Ｆに収納された状態において、一対の被掛止部５３Ａが奥行方向の寸法よりも上下方向の寸法を大きい向きにした袋５３の上側であり、左右方向の両端部に設けられている。また、袋５３は掛止部７０の掛止部本体７０Ｋに被掛止部５３Ａが掛止することによってカートリッジ１０Ｆ内に吊り下げられる。こうして、このウォーターサーバーはカートリッジ１０Ｆに奥行方向の寸法よりも上下方向の寸法を大きい向きにした袋５３が収納される。
【００３６】
また、カートリッジ１０Ｆは袋５３の向きを被掛止部５３Ａを上向きにして袋５３を収納する。このとき、袋５３の接合部５３Ｄをニードル部２０Ａの突き刺す位置からずらした位置に配置することができる。これにより、重ねて接合して厚く形成された接合部５３Ｄにニードル部２０Ａが突き刺さることを避けることができる。これにより、接合部５３Ｄが形成されていない袋５３の所定の領域５３Ｃにニードル部２０Ａを確実に突き刺さすことができる（図２（Ｃ）、５、６参照。）。このため、このウォーターサーバーは飲料水が袋５３から確実に飲料水をウォーターサーバー内に導入することができる。また、飲料水が貯蔵された袋５３は形が定まらず扱い難い。つまり、カートリッジ１０Ｆは飲料水が貯蔵された袋５３を収納することによって、飲料水が貯蔵された袋５３を扱い易くすることができる。このため、このウォーターサーバーは飲料水が貯蔵された袋５３をカートリッジ１０Ｆに収納することによって、飲料水が貯蔵された袋５３を飲料水載置部１０に容易に載置することができる。
【００３７】
飲料水載置部導水路２０は、図８に示すように、ニードル部２０Ａ、第１導水管２０Ｄ、飲料水導入電磁弁２０Ｃ、及び第２導水管２０Ｅを有している。ニードル部２０Ａは上方向に細い円錐状に形成されている。横方向からみた側面視において、ニードル部２０Ａの円錐状の角度は２５度である。これにより、ニードル部２０Ａが袋５３に突き刺さす際、ニードル部２０Ａの外周面と袋５３との間に程よい大きさの摩擦力が生じつつ突き刺さすことができ、ニードル部２０Ａの外周面と袋５３との間から飲料水が漏出することを抑えることができる。つまり、ニードル部２０Ａは針状をなしている。ニードル部２０Ａは内部が空洞である。また、ニードル部２０Ａは円錐状の下端が管状をなして上下方向に伸びるニードル下部導水管２０Ｆの上端に連通して連結している。ニードル下部導水管２０Ｆの上端部には貫通して設けられた複数の飲料水導入孔２０Ｂが形成されている。これら飲料水導入孔２０Ｂは互いにニードル下部導水管２０Ｆの外周面の周方向に並んで形成されている。飲料水導入孔２０Ｂを複数設けることによって、カートリッジ１０Ｆに収納された袋５３内から飲料水が排出されるにしたがって袋５３の外形が変形しつつカートリッジ１０Ｆのカートリッジ底壁１０Ｇに向けて収縮した場合、飲料水導入孔２０Ｂの一部が袋５３によって塞がっても他の飲料水導入孔２０Ｂを介して装置内に飲料水を導入することができる。また、ニードル下部導水管２０Ｆの下端部には円盤状に形成された合成樹脂製の鍔部２０Ｈが連結されている。また、鍔部２０Ｈの下側にはコ字状に形成された金属製の第１支持部材２０Ｊが連結されている。こうして、ニードル下部導水管２０Ｆは鍔部２０Ｈ、及び第１支持部材２０Ｊを介して飲料水冷却部１１の閉鎖された上端に連結している。第１導水管２０Ｄは管状をなして横方向に伸びて、飲料水冷却部１１の閉鎖された上端に沿うように配置されている。第１導水管２０Ｄは合成樹脂製である。第１導水管２０Ｄは管状の一端がニードル下部導水管２０Ｆの下端に連通して連結している。
【００３８】
飲料水導入電磁弁２０Ｃは飲料水載置部１０のカバー部材収納部底壁１０Ｌと飲料水冷却部１１の閉鎖された上端との間に設けられている（図１参照。）。また、飲料水導入電磁弁２０Ｃは入水ポートが第１導水管２０Ｄの管状の他端に連通して連結している。第２導水管２０Ｅは管状をなして横方向に伸びて、飲料水冷却部１１の閉鎖された上端に沿うように配置されている。第２導水管２０Ｅは管状の一端が飲料水導入電磁弁２０Ｃの非入水ポートに連通して連結している。第２導水管２０Ｅは合成樹脂製である。また、第２導水管２０Ｅは管状の他端部垂下して伸びており、垂下した下端が後述する飲料水冷却部１１の閉鎖された上端に連通して連結している。飲料水導入電磁弁２０Ｃは開閉することによって第１導水管２０Ｄと第２導水管２０Ｅとを開閉することができる。つまり、飲料水導入電磁弁２０Ｃは開くことによって、装置内に飲料水を導入することができ、閉じることによって、装置内に外気や雑菌が侵入することを防ぎ、装置内で雑菌が繁殖することを抑えることができる。
【００３９】
また、飲料水載置部導水路２０は飲料水導入電磁弁２０Ｃが第２支持部材２０Ｇを介して飲料水冷却部１１の閉鎖された上端に連結している。第２支持部材２０Ｇは、合成樹脂を用いてＬ型のアングル状に形成されており、Ｌ字状の一方が飲料水導入電磁弁２０Ｃに連結され、Ｌ字状の他方が飲料水冷却部１１の閉鎖された上端に連結している。なお、第２支持部材２０Ｇは合成樹脂でなくてもよく、金属等で形成してもよい。飲料水載置部導水路２０は、図２（Ａ）〜（Ｃ）に示すように、ニードル部２０Ａ及びニードル下部導水管２０Ｆが飲料水載置部１０のカバー部材収納部底壁１０Ｌ及び円筒部１０Ｗを挿通し、ニードル部２０Ａ及びニードル下部導水管２０Ｆの上端部が飲料水載置部底壁１０Ａの上方に突出して設けられている。ニードル部２０Ａは上端がカバー部材１０Ｄの保護壁部１０Ｍの下側に位置している。
【００４０】
飲料水導入電磁弁２０Ｃは制御部１５に電気的に接続されている。制御部１５は飲料水冷却部１１の右側に隣り合い設けられている。制御部１５は実装された様々な電子部品によって電気回路が形成された基板である。制御部１５は商用電源（図示せず）から供給された交流の電力を基にして動作することができる。制御部１５は装置内に導入された飲料水や炭酸ガスの流れを使用者が後述する操作部１４や背面操作部１６等を操作することによって制御することができる。また、制御部１５は装置内の状態に対応する値と比較する際に用いる所定の値を保存することができる。また、制御部１５は後述する飲料水加熱部１２から離れた位置に配置されている。これにより、このウォーターサーバーは制御部１５に飲料水加熱部１２で加熱された熱水から放射される熱の影響が及ぶことを抑えることができる。
【００４１】
また、飲料水載置部導水路２０は、飲料水導入電磁弁２０Ｃが飲料水冷却部１１の閉鎖された上端に対して合成樹脂製の第２支持部材２０Ｇを介して連結されている。一般的に合成樹脂は、金属等に比べて熱が伝わり難い（熱伝導率が低い）ため、このウォーターサーバーは装置内に熱水を循環させて満たし（以下、熱水循環動作という）、装置内の殺菌を行う際、飲料水冷却部１１に満たされた熱水の熱が第２支持部材２０Ｇと飲料水導入電磁弁２０Ｃを介してニードル部２０Ａ及びニードル下部導水管２０Ｆに伝達し難くすることができる。さらに、第１導水管２０Ｄも合成樹脂製であるため、飲料水導入電磁弁２０Ｃからニードル部２０Ａ及びニードル下部導水管２０Ｆに、より熱を伝え難くすることができる。これにより、このウォーターサーバーはニードル部２０Ａ及びニードル下部導水管２０Ｆが突き刺さった袋５３が熱水の熱によって変形して袋５３に貯蔵された飲料水が袋５３とニードル部２０Ａ及びニードル下部導水管２０Ｆとの間から漏出することを抑えることができる。また、ニードル下部導水管２０Ｆも合成樹脂製の鍔部２０Ｈ、及び第１支持部材２０Ｊを介して飲料水冷却部１１の閉鎖された上端に連結されているため、装置内の殺菌を行う際、熱水循環動作の際に、飲料水冷却部１１に満たされた熱水の熱が鍔部２０Ｈによってニードル下部導水管２０Ｆに伝達し難くすることができる。
【００４２】
こうして構成された飲料水載置部導水路２０は飲料水が貯蔵された袋５３から飲料水を飲料水冷却部１１に導入することができる。詳しくは、飲料水載置部１０に飲料水が貯蔵された袋５３を収納したカートリッジ１０Ｆを載置する（図２（Ｂ）参照）。すると、カートリッジ１０Ｆの一対の突起部１０Ｙによってカバーロック解除ボタン６０がカバー部材１０Ｄに対して下方向に押し下げられ、一対のロック解除爪６０Ｂがロック解除爪挿通孔１０Ｘから外れる。そして、カートリッジ１０Ｆによってカバー部材１０Ｄが押し下げられて、ニードル部２０Ａ及びニードル下部導水管２０Ｆはカートリッジ底壁１０Ｇに設けられた貫通孔１０Ｑを挿通し、カートリッジ１０Ｆ上側に向けて突出しつつ、袋５３に突き刺さる（図２（Ｃ）参照。）。そして、飲料水はニードル部２０Ａに設けられた飲料水導入孔２０Ｂを通り飲料水導入電磁弁２０Ｃの入水ポートに到達する。つまり、ニードル部２０Ａは上方向に細い円錐状に形成されており、袋５３の下側から上方向に袋５３に突き刺さる。これにより、このウォーターサーバーはニードル部を横方向に配置して袋の横側から袋に突き刺す場合に比べて、奥行方向、及び左右方向の寸法をより小さくすることができる。なお、ニードル部２０Ａが袋５３に突き刺さった状態において、ニードル下部導水管２０Ｆの複数の飲料水導入孔２０Ｂはカートリッジ底壁１０Ｇの上側の近傍に位置している（図２（Ｃ）参照。）。これにより、袋５３内に残留する飲料水の量をより少なくすることができる。また、カートリッジ１０Ｆの掛止部７０の掛止部本体７０Ｋに袋５３の被掛止部５３Ａを掛止して、袋５３をカートリッジ１０Ｆ内に吊り下げるように収納することによって、袋５３内から飲料水を排出しても、袋５３がカートリッジ１０Ｆのカートリッジ底壁１０Ｇに向けて収縮することを抑えることができる。これにより、このウォーターサーバーはニードル部２０Ａが袋５３の上側をも貫通することなく袋５３内に貯蔵された飲料水を良好にウォーターサーバー内に導入することができる。
【００４３】
飲料水導入電磁弁２０Ｃは後述する飲料水冷却部１１のフロートスイッチ１１Ｄで検出した飲料水冷却部１１内に貯留された飲料水の水位に対応する値が所定の値（所定の値は予め制御部１５に保存されている）より大きい場合に自動で閉じ、所定の値より小さい場合に自動で開くことができる。詳しくは、制御部１５はフロートスイッチ１１ＤがＯＦＦからＯＮに切り替わったと判別した時（飲料水冷却部１１内の水位が下がった時）、５秒間空けて、飲料水導入電磁弁２０Ｃを開く制御を実行し、飲料水冷却部１１へ飲料水を導入する。また、制御部１５はフロートスイッチ１１ＤがＯＮからＯＦＦに切り替わったと判別した時（飲料水冷却部１１内の水位が上がった時）、０．８秒間空けて、飲料水導入電磁弁２０Ｃを閉じる制御を実行する。こうして、飲料水導入電磁弁２０Ｃは飲料水載置部１０から飲料水冷却部１１に適量の飲料水を導入することができる。また、制御部１５はフロートスイッチ１１ＤがＯＦＦからＯＮに切り替わった状態が所定の時間継続すると、袋５３に貯蔵された飲料水の量が少ない、又は飲料水が無いと判別し、飲料水導入電磁弁２０Ｃを閉じる制御を実行する。これにより、飲料水冷却部１１に雑菌等が侵入することを防ぐことができる。
【００４４】
飲料水冷却部１１は、図１、１４、１５に示すように、飲料水載置部１０の下側に設けられている。飲料水冷却部１１は円筒状をなして上下方向に伸び、上端及び下端が閉鎖されている。飲料水冷却部１１は内側に仕切り部１１Ａが設けられている。仕切り部１１Ａは飲料水冷却部１１の内側に形成された空間を上側と下側とに仕切っている。仕切り部１１Ａは円盤状をなしている。仕切り部１１Ａは円盤状の中心軸が飲料水冷却部１１の円筒状の中心軸上に配置されている。仕切り部１１Ａは円盤状の外径が飲料水冷却部１１の円筒状の内径より僅かに小さい。つまり、飲料水冷却部１１は仕切り部１１Ａによって仕切られた上側及び下側の空間が仕切り部１１Ａの外周面と飲料水冷却部１１の円筒状の内周面との間に形成された隙間を介して互いに連通している。仕切り部１１Ａは平板状の中央部に上下方向に貫通して貫通孔１１Ｂが設けられている。この貫通孔１１Ｂは後述する飲料水冷却部導水路２１の上端が連通している。また、飲料水冷却部１１は閉鎖された下端に後述する冷却水流路２２Ａの管状の一端が連通している。
【００４５】
飲料水冷却部１１は下側の外周面に管状をなした冷却部材１１Ｃが巻きつけられて取り付けられている。冷却部材１１Ｃは冷媒が封入されており、ウォーターサーバー本体５０の下端部５６に設けられたコンプレッサー５４（図１４、１５参照）を介して放熱器（図示せず）に連結されている。こうして、飲料水冷却部１１は冷媒が封入された冷却部材１１Ｃによって、飲料水冷却部１１の下側に導入された飲料水を冷却することができる。そして、飲料水を冷却した冷媒はコンプレッサー５４を介して放熱器に運搬されて放熱され、再び冷却部材１１Ｃに運搬され、飲料水冷却部１１の下側に導入された飲料水を冷却することができる。なお、コンプレッサー５４の大きさは使用する冷媒の量で決まる。具体的には、飲料水冷却部１１の体積を小さくして管状をなした冷却部材１１Ｃの長さ寸法を小さくしたり、管状をなした冷却部材１１Ｃの断面積を小さくしたりして、使用する冷媒の量を抑えることによって、コンプレッサー５４の大きさをより小さくすることができる。これにより、このウォーターサーバーは外形寸法をより小さくすることができる。
【００４６】
こうして構成された飲料水冷却部１１は、飲料水冷却部１１内に導入された飲料水を冷却し冷却水にすることができる。飲料水冷却部１１には飲料水載置部導水路２０から導入された飲料水を区分けする仕切り部１１Ａを有し、仕切り部１１Ａの外周面と飲料水冷却部１１の円筒状の内周面との間には隙間が形成され、隙間から仕切り部１１Ａによって仕切られた飲料水冷却部１１の下側の空間に飲料水を導入する。飲料水冷却部１１は下側の空間に導入された飲料水が後述する飲料水吐水部導水路２２の冷却水流路２２Ａ側を介して、飲料水吐水路２２Ｄの冷却水側電磁弁２２Ｆの入水ポート側及び熱水循環路２２Ｃの循環路電磁弁２２Ｅの入水ポート側まで導入される。また、飲料水は仕切り部１１Ａの貫通孔１１Ｂ及び飲料水冷却部導水路２１を介して後述する飲料水加熱部１２に導入される。
【００４７】
また、飲料水冷却部１１は仕切り部１１Ａによって仕切られた飲料水冷却部１１の下側の空間に導入された飲料水を冷却部材１１Ｃによって冷却し冷却水にすることができる。冷却部材１１Ｃは仕切り部１１Ａの下側に配置されている。水は冷却され温度が下がると比重が高くなり下方に沈みやすくなる。また、飲料水冷却部１１は仕切り部１１Ａによって、冷却水と冷却されていない飲料水とが混合することを防ぐことができる。つまり、仕切り部１１Ａは冷却水と冷却されていない飲料水とが混合することによって冷却水の温度が変化することを抑さえることができる。こうして、飲料水冷却部１１は仕切り部１１Ａの上側の空間に飲料水を常温で貯蔵し、下側の空間に冷却水を貯蔵することができる。このため、このウォーターサーバーは安定して冷却された飲料水を使用者に供給することができる。
【００４８】
また、このウォーターサーバーは冷却されていない飲料水の下側に冷却水を貯蔵することができるため、ポンプ等を設けることなく、冷却されていない飲料水を重力によって冷却部材１１Ｃが配置された飲料水冷却部１１の下側に導入することができる。このため、このウォーターサーバーはより外形寸法を小さくすることができる。
【００４９】
また、飲料水冷却部１１は閉鎖された上端にフロートスイッチ１１Ｄが設けられている。フロートスイッチ１１Ｄは飲料水冷却部１１に導入された飲料水の水位を検出し、飲料水冷却部１１に貯蔵された飲料水の水位に対応した値を制御部１５に伝達することができる。また、飲料水冷却部１１の閉鎖された上端には電極センサ１１Ｈが設けられている。電極センサ１１Ｈは飲料水冷却部１１に導入された飲料水の水位を検出し、飲料水冷却部１１に貯蔵された飲料水の水位がフロートスイッチ１１Ｄで検出することができる水位より高くなったことを制御部１５に伝達することができる。また、飲料水冷却部１１は断熱材１１Ｇが設けられている（図１参照。）。詳しくは、断熱材１１Ｇは飲料水冷却部１１、及び冷却部材１１Ｃの外周面、及び飲料水冷却部１１の下端面を覆い設けられている。断熱材１１Ｇは発泡スチロール等で形成されている。これにより、このウォーターサーバーは冷却された冷却水が温まったり、飲料水冷却部１１の外周面や下端面に結露が生じたりすることを抑えることができる。
【００５０】
飲料水冷却部導水路２１は管状をなして上下方向に伸びている。飲料水冷却部導水路２１は管状の上端部が飲料水冷却部１１の閉鎖された下端を貫通して飲料水冷却部１１内に伸びている。飲料水冷却部導水路２１は上端が飲料水冷却部１１の仕切り部１１Ａに設けられた貫通孔１１Ｂに連通している。飲料水冷却部導水路２１は管状の下端部が飲料水加熱部１２の閉鎖された上端を貫通して飲料水加熱部１２内に伸びている。飲料水冷却部導水路２１は下端が飲料水加熱部１２の閉鎖された下端の上面との間に僅かに隙間を空けて配置されている。また、飲料水冷却部導水路２１は飲料水加熱部１２の閉鎖された下端部近傍で傾斜するように設けられている。
【００５１】
また、飲料水冷却部導水路２１は飲料水加熱部１２の閉鎖された上端の直下に貫通して気体流入孔２１Ｂが設けられている。気体流入孔２１Ｂは飲料水冷却部１１から飲料水加熱部１２に飲料水が導入される際、飲料水加熱部１２内の空気を飲料水冷却部導水路２１に排出させることができる。また、気体流入孔２１Ｂは飲料水加熱部１２で飲料水を加熱した際、飲料水冷却部１１から導入される飲料水の流れを妨げることなく、飲料水加熱部１２内で発生した水蒸気等のガスを飲料水冷却部導水路２１に排出させることができる。これにより、飲料水加熱部１２内のガスによる圧力によって、飲料水加熱部１２への飲料水の導入が妨げられることを防ぐことができる。
【００５２】
飲料水冷却部導水路２１は飲料水冷却部１１の下端と飲料水加熱部１２の上端との間にポンプ２１Ａが連通して設けられている。ポンプ２１Ａは制御部１５に電気的に接続されている。ポンプ２１Ａは非駆動状態において飲料水冷却部導水路２１内の飲料水の流れを妨げない。また、飲料水冷却部導水路２１はポンプ２１Ａの上側が傾斜している。これにより、このウォーターサーバーはポンプ２１Ａを駆動して飲料水加熱部１２から飲料水冷却部１１に熱水を送る場合、垂直に熱水を汲み上げて飲料水冷却部１１に送る場合に比べて、ポンプ２１Ａにかかる負荷を抑えることができる。このため、このウォーターサーバーはポンプ２１Ａをより小型化することができる。これにより、このウォーターサーバーはより外形寸法を小さくすることができる。
【００５３】
仮に、飲料水冷却部導水路２１のポンプ２１Ａの上側が傾斜していない場合、飲料水加熱部１２内で発生した水蒸気等のガスや飲料水加熱部１２内に残留した空気が飲料水冷却部導水路２１を通り飲料水冷却部１１に向けて流れようとしても、飲料水冷却部１１から導入される飲料水の流れによって詰まるおそれがある。しかし、このウォーターサーバーは飲料水冷却部導水路２１のポンプ２１Ａの上側を傾斜させることによって、飲料水加熱部１２内で発生した水蒸気等のガスや飲料水加熱部１２内に残留した空気が傾斜した飲料水冷却部導水路２１の上側に集まり飲料水冷却部１１に向けて流すことができる。また、飲料水冷却部１１から導入される飲料水は傾斜した飲料水冷却部導水路２１の下側に集まり飲料水加熱部１２に向けて流すことができる。つまり、このウォーターサーバーは飲料水冷却部導水路２１のポンプ２１Ａの上側を傾斜させることによって、飲料水加熱部１２内で発生した水蒸気等のガスや飲料水加熱部１２内に残留した空気、及び飲料水冷却部１１から導入される飲料水のそれぞれを良好に流すことができる。
【００５４】
こうして構成された飲料水冷却部導水路２１は飲料水冷却部１１内に導入された飲料水を飲料水加熱部１２に導入することができる。詳しくは、飲料水冷却部導水路２１は飲料水冷却部１１の仕切り部１１Ａの貫通孔１１Ｂを介して飲料水が導入される。そして、飲料水はポンプ２１Ａを通り、飲料水加熱部１２内の下端部に導入される。
【００５５】
また、飲料水冷却部導水路２１は、ポンプ２１Ａを駆動して飲料水加熱部１２で加熱された熱水を飲料水加熱部１２から飲料水冷却部１１、及び後述する飲料水吐水部導水路２２に送り、飲料水加熱部１２に戻るように所定の時間、熱水循環動作を実行することができる。これにより、このウォーターサーバーは熱水で装置内の殺菌を行うことができる。つまり、このウォーターサーバーは装置を分解することなく装置内の殺菌を容易に行うことができる。なお、熱水循環動作する時間は、殺菌に用いる熱水の温度に応じて定められている。一般的に、熱水が通る各部の温度を８５℃以上で１０分間以上維持すれば熱水が通る各部の殺菌をすることができる。また、このウォーターサーバーは制御部１５に電気的に接続された背面操作部１６を操作することによって、熱水循環動作を実行するタイミングを変更することができる。
【００５６】
ここで、背面操作部１６の構成を説明する。背面操作部１６はウォーターサーバー本体５０の背面に設けられている（図１５参照。）。背面操作部１６は、図１９に示すように、循環設定ボタン１６Ａ、冷水ロックボタン１６Ｂ、イルミネーションボタン１６Ｃ、エコスイッチボタン１６Ｄ、及びヒーターボタン１６Ｅを具備している。循環設定ボタン１６Ａを押すと、熱水循環動作を実行するタイミングを変更することができる。例えば、循環設定ボタン１６Ａを１回押す毎に、熱水循環動作を実行するタイミングを１時間、２時間、３時間、６時間、及び１２時間の順に変更することができる。また、背面操作部１６はタイミング表示部１６Ｆが設けられている。タイミング表示部１６Ｆは現在選択されている熱水循環動作を実行する各タイミングに対応して設けられている。例えば、熱水循環動作を実行するタイミングを６時間に設定した場合、６時間に対応した部分が点灯する。これにより、現在選択されている熱水循環動作を実行するタイミングを表示することができる。冷水ロックボタン１６Ｂを押すと、後述する操作部１４のロック解除ボタン１４Ｄの操作を、冷却水供給ボタン１４Ａに対して無効にしたり、有効にしたりすることができる。イルミネーションボタン１６Ｃを押すと、飲料水載置部１０の飲料水載置部底壁１０Ａの３つの照明用貫通孔１０Ｓの下側に設けられたＬＥＤ素子を点灯させたり、消灯させたりすることができる。エコスイッチボタン１６Ｄを押すと後述する加熱部材１２Ａと冷却部材１１Ｃに供給する電力量を所定の量にしたり、所定の量より少なくしたりすることができる。これにより、飲料水を加熱、及び冷却する温度を変更することができる。ヒーターボタン１６Ｅを押すと、飲料水を加熱する機能を無効にしたり、有効にしたりすることができる。また、背面操作部１６はヒーターボタン１６Ｅの上側に隣り合いランプ部１６Ｇが設けられている。ランプ部１６Ｇは点灯、又は消灯することによって、ヒーターボタン１６Ｅを押すことによって変更された、飲料水を加熱する機能が現在有効であるか無効であるかを表示することができる。つまり、背面操作部１６は各ボタンを押すことによって、使用者の好みに応じてウォーターサーバーの有する機能を有効にしたり、無効にしたり、機能を実行するタイミングを変更したりすることができる。なお、熱水循環動作して殺菌を行うように設定した場合は、ヒーターボタン１６Ｅを押しても飲料水を加熱する機能を無効にすることができない。
【００５７】
飲料水加熱部１２は円筒状をなして上下方向に伸び、円筒状の上端及び下端が閉鎖されている。飲料水加熱部１２は飲料水冷却部１１の下側に設けられている。これにより、このウォーターサーバーは飲料水冷却部１１、及び飲料水加熱部１２を互いに前後、又は左右方向に隣り合わせて配置する場合に比べて、装置の奥行方向、及び左右方向の寸法をより小さくすることができる。飲料水加熱部１２は内部の下部に加熱部材１２Ａが設けられている。加熱部材１２Ａはシーズヒーターが用いられている。また、飲料水加熱部１２は閉鎖された上端に後述する飲料水吐水部導水路２２の熱水流路２２Ｂの管状の他端が連通している。また、飲料水加熱部１２は閉鎖された上端に温度ヒューズ１２Ｂが設けられている。温度ヒューズ１２Ｂは、１００℃以上の所定の温度を検出して制御部１５に伝達することができる。具体的には、飲料水加熱部１２に飲料水が導入されていない状態において、加熱部材１２Ａが動作して熱水循環動作した状態（すなわち、空焚きで熱水循環動作した状態）になった場合、加熱部材１２Ａによって加熱された飲料水加熱部１２の空気が飲料水加熱部１２の上側に溜まり、飲料水加熱部１２の閉鎖した上端の温度が上昇する。つまり、温度ヒューズ１２Ｂは飲料水加熱部１２の閉鎖した上端の温度が１００℃以上の所定の温度になったことを検出することができる。これにより、加熱部材１２Ａの動作を停止して、空焚きの状態を停止することができる。なお、温度ヒューズ１２Ｂが検出する１００℃以上の所定の温度は、１００℃に近い温度が好ましい。これにより、加熱部材１２Ａの周辺の温度が過剰に高くなる前に、空焚きの状態を検出することができる。また、飲料水加熱部１２は閉鎖された下端に排水路１２Ｃが設けられている。排水路１２Ｃはウォーターサーバー内に導入された飲料水を抜き取ることができる。
【００５８】
こうして構成された飲料水加熱部１２は導入された飲料水を加熱部材１２Ａによって加熱して熱水にすることができる。また、飲料水加熱部１２は加熱部材１２Ａによって加熱された飲料水を飲料水吐水部導水路２２の熱水流路２２Ｂ側を介して、飲料水吐水路２２Ｄの熱水側電磁弁２２Ｇの入水ポート側、及び熱水循環路２２Ｃの循環路電磁弁２２Ｅの非入水ポート側まで導入する。
【００５９】
飲料水吐水部導水路２２は、図１４、１５、２０に示すように、飲料水冷却部１１と飲料水加熱部１２との間に挟み設けられている。これにより、このウォーターサーバーは飲料水吐水部導水路２２を飲料水冷却部１１や飲料水加熱部１２の前後、又は左右に隣り合い配置する場合に比べて、奥行方向、及び左右方向の寸法をより小さくすることができる。
【００６０】
飲料水吐水部導水路２２は、冷却水流路２２Ａ、熱水流路２２Ｂ、熱水循環路２２Ｃ、及び飲料水吐水路２２Ｄを有している。冷却水流路２２Ａは管状をなして伸びている。冷却水流路２２Ａは管状の一端が飲料水冷却部１１の閉鎖された下端に連通している。熱水流路２２Ｂは管状をなして伸びている。熱水流路２２Ｂは管状の他端が飲料水加熱部１２の閉鎖された上端に連通している。
【００６１】
熱水循環路２２Ｃは管状をなして水平方向に伸びている。熱水循環路２２Ｃは管状の一端を冷却水流路２２Ａの他端部に連通し、他端を熱水流路２２Ｂの一端部に連通している。熱水循環路２２Ｃは管状の中間部に循環路電磁弁２２Ｅが連通して設けられている。循環路電磁弁２２Ｅは飲料水冷却部導水路２１のポンプ２１Ａが駆動すると開き、ポンプ２１Ａが駆動を停止すると閉じることができる。循環路電磁弁２２Ｅは、図２０に示すように、自身に設けられた電磁石（図示せず）に流れる電流の状態に応じて位置を変更する円柱状をなした鉄芯２２Ｈを具備している。循環路電磁弁２２Ｅは鉄芯２２Ｈが円柱状の中心軸が伸びる方向に移動することによって開いたり閉じたりすることができる。循環路電磁弁２２Ｅは鉄芯２２Ｈが移動する方向を水平方向にして熱水循環路２２Ｃの水平方向に隣り合い配置されている。循環路電磁弁２２Ｅは制御部１５に電気的に接続されている。また、循環路電磁弁２２Ｅは入水ポートが熱水循環路２２Ｃの冷却水流路２２Ａ側に設けられている。
【００６２】
飲料水吐水路２２Ｄは管状をなして水平方向に伸びている。飲料水吐水路２２Ｄは管状の一端が冷却水側電磁弁２２Ｆを介して冷却水流路２２Ａの他端部に連通し、他端が熱水側電磁弁２２Ｇを介して熱水流路２２Ｂの一端部に連通している。冷却水側電磁弁２２Ｆ及び熱水側電磁弁２２Ｇは構造が循環路電磁弁２２Ｅと同様である。冷却水側電磁弁２２Ｆ及び熱水側電磁弁２２Ｇはそれぞれの円柱状の鉄芯２２Ｊ，２２Ｋが移動する方向を飲料水吐水路２２Ｄが伸びる方向と平行に、互いに離れる方向に伸びて配置されている。飲料水吐水路２２Ｄは熱水循環路２２Ｃに平行に、水平方向に隣り合い配置されている。飲料水吐水路２２Ｄは冷却水側電磁弁２２Ｆと熱水側電磁弁２２Ｇとの間が合成樹脂で形成されている。冷却水側電磁弁２２Ｆ及び熱水側電磁弁２２Ｇは制御部１５にそれぞれが電気的に接続されている。また、冷却水側電磁弁２２Ｆは入水ポートが飲料水吐水路２２Ｄの冷却水流路２２Ａ側に設けられている。また、熱水側電磁弁２２Ｇは入水ポートが飲料水吐水路２２Ｄの熱水流路２２Ｂ側に設けられている。
【００６３】
こうして構成された飲料水吐水部導水路２２は循環路電磁弁２２Ｅ、冷却水側電磁弁２２Ｆ、及び熱水側電磁弁２２Ｇのそれぞれの鉄芯２２Ｈ，２２Ｊ，２２Ｋが移動する方向を水平方向にして配置されている。これにより、このウォーターサーバーは鉄芯２２Ｈ，２２Ｊ，２２Ｋが移動する方向を上下方向にして循環路電磁弁２２Ｅ、冷却水側電磁弁２２Ｆ及び熱水側電磁弁２２Ｇのそれぞれを配置した場合に比べて、上下方向の寸法をより小さくすることができる。
【００６４】
また、冷却水側電磁弁２２Ｆ及び熱水側電磁弁２２Ｇは使用者が使用する際に制御部１５に電気的に接続された操作部１４を操作することによって、それぞれを開けたり閉じたりすることができる。
【００６５】
ここで、操作部１４の構成を説明する。操作部１４はウォーターサーバー本体５０の前側で、後述する供給部１３の上側に隣り合い設けられている（図１４、１５参照。）。操作部１４は、図１７に示すように、冷却水供給ボタン１４Ａ、熱水供給ボタン１４Ｂ、炭酸ガス供給ボタン１４Ｃ、及びロック解除ボタン１４Ｄを具備している。冷却水供給ボタン１４Ａを押している間、冷却水側電磁弁２２Ｆを開くことができる。熱水供給ボタン１４Ｂを押している間、熱水側電磁弁２２Ｇを開くことができる。炭酸ガス供給ボタン１４Ｃを押している間、後述する第１開閉弁である炭酸ガス電磁弁３２Ｃを開くことができる。ロック解除ボタン１４Ｄをおよそ３秒間以上長押し押すと冷却水供給ボタン１４Ａ、熱水供給ボタン１４Ｂ、及び炭酸ガス供給ボタン１４Ｃの操作を無効にしたり、有効にしたりすることができる。つまり、ロック解除ボタン１４Ｄは誤ったボタン操作（子供のいたずらや、不用意なボタンへの接触）による冷却水や熱水の吐水や炭酸ガスの噴射を防止することができる。
【００６６】
また、ロック解除ボタン１４Ｄは背面操作部１６の冷水ロックボタン１６Ｂを押すことによって冷却水供給ボタン１４Ａの操作に対して機能しないようにすることもできる。また、飲料水加熱部１２内に貯留された熱水の温度が所定の温度より低い場合、ロック解除ボタン１４Ｄを押さず、熱水供給ボタン１４Ｂの操作を有効にしない状態で熱水供給ボタン１４Ｂをおよそ３秒間以上長押しする。これにより、飲料水加熱部１２内に貯留された熱水を再び加熱することもできる。こうして、このウォーターサーバーは操作部１４の各ボタンを操作することによって冷却水、熱水、及び炭酸ガスを使用者に提供したり、冷却水、熱水、及び炭酸ガスを供給するボタンの操作を無効にしたり、有効にしたりすることができる。つまり、このウォーターサーバーはハンドルを有したコックを用いる場合に比べて、ハンドルを設ける空間や、ハンドルを掴み、操作するための空間を設ける必要がない。このため、このウォーターサーバーは外形寸法をより小さくすることができる。
【００６７】
飲料水吐水部導水路２２は飲料水吐水路２２Ｄを介して冷却水及び熱水を後述する飲料水吐水部２３に送ることができる。詳しくは、飲料水吐水部導水路２２は使用者が操作部１４の冷却水供給ボタン１４Ａを押している間、冷却水側電磁弁２２Ｆを開くことができる。これにより、冷却水側電磁弁２２Ｆの入水ポート側に導入された冷却水が冷却水側電磁弁２２Ｆを介して飲料水吐水部２３へ導入することができる。そして、所望の量の冷却水を取り出した後、冷却水供給ボタン１４Ａを押すことを止めると冷却水側電磁弁２２Ｆを閉じることができる。これにより、冷却水の飲料水吐水部２３への導入を停止することができる。
【００６８】
また、飲料水吐水部導水路２２は使用者が操作部１４の熱水供給ボタン１４Ｂを押している間、熱水側電磁弁２２Ｇを開くことができる。これにより、熱水側電磁弁２２Ｇの入水ポート側に導入された熱水が熱水側電磁弁２２Ｇを介して飲料水吐水部２３へ導入することができる。そして、吐水口である飲料水吐水口２３Ａから熱水が吐水され使用者に供給される。そして、所望の量の熱水を取り出した後、熱水供給ボタン１４Ｂを押すことを止めると熱水側電磁弁２２Ｇを閉じることができる。これにより、熱水の飲料水吐水部２３への導入を停止することができる。こうして、飲料水吐水部２３は袋５３内に貯蔵された飲料水がニードル部２０Ａ及びニードル下部導水管２０Ｆを経由して吐水する。
【００６９】
また、飲料水吐水部導水路２２は飲料水冷却部導水路２１のポンプ２１Ａを駆動させると共に循環路電磁弁２２Ｅを開くようにする。これにより、飲料水加熱部１２で加熱した熱水が飲料水冷却部１１に送られ、熱水循環路２２Ｃを介して再び飲料水加熱部１２に戻り、熱水循環動作を実行することによって装置内の殺菌を行うことができる。
【００７０】
ここで、熱水循環動作の際の熱水が循環する動作について図２１、２２を参照しつつ説明する。なお、図２１、２２において、装置内の色が濃いほど飲料水の温度が高いことを示す。先ず、飲料水冷却部導水路２１のポンプ２１Ａを駆動させると共に循環路電磁弁２２Ｅを開く（図２１（Ａ）参照）。すると、飲料水加熱部１２で加熱された熱水が飲料水冷却部導水路２１を通り、飲料水冷却部１１に向けて流れる（図２１（Ｂ）参照。）。そして、熱水が飲料水冷却部１１の仕切り部１１Ａの上側に到達する（図２１（Ｃ）〜（Ｅ）参照。）。そして、飲料水冷却部１１の仕切り部１１Ａの上側に到達した熱水は、仕切り部１１Ａの外周面と飲料水冷却部１１の円筒状の内周面との間に形成された隙間を介して飲料水冷却部１１の仕切り部１１Ａの下側に流れる（図２１（Ｆ）参照。）。そして、飲料水冷却部１１の仕切り部１１Ａの下側に流入した熱水は、熱水循環路２２Ｃ、及び飲料水吐水路２２Ｄに流れる（図２１（Ｇ）参照。）。このとき、飲料水吐水路２２Ｄは冷却水側電磁弁２２Ｆ入水ポートまで熱水が満たされる。そして、熱水は熱水循環路２２Ｃを流れて再び飲料水加熱部１２に流入する（図２１（Ｈ）参照。）。このとき、飲料水吐水路２２Ｄは熱水側電磁弁２２Ｇ入水ポートまで熱水が満たされる。
【００７１】
熱水循環動作を実行して冷却水側電磁弁２２Ｆ及び熱水側電磁弁２２Ｇのそれぞれの入水ポートまで熱水が満たされると、熱水の熱が飲料水吐水路２２Ｄの冷却水側電磁弁２２Ｆと熱水側電磁弁２２Ｇとの間に伝達する。飲料水吐水路２２Ｄは冷却水側電磁弁２２Ｆと熱水側電磁弁２２Ｇとの間が合成樹脂で形成されている。このため、飲料水吐水路２２Ｄは冷却水側電磁弁２２Ｆと熱水側電磁弁２２Ｇとの間に熱水の熱が伝わり難い。つまり、飲料水吐水路２２Ｄは冷却水側電磁弁２２Ｆと熱水側電磁弁２２Ｇとの間の温度が、雑菌が繁殖し易い温度まで上昇し難い。これにより、飲料水吐水路２２Ｄは冷却水側電磁弁２２Ｆと熱水側電磁弁２２Ｇとの間で雑菌が繁殖することを抑えることができる。
【００７２】
そして、飲料水冷却部導水路２１のポンプ２１Ａの駆動を停止させると共に循環路電磁弁２２Ｅを閉じ、熱水循環動作を終了する（図２２（Ａ）参照）。そして、所定の時間放置して、飲料水冷却部導水路２１、飲料水冷却部１１、熱水循環路２２Ｃ、及び飲料水吐水路２２Ｄに満たされた熱水を徐々に冷ます（図２２（Ｂ）、（Ｃ）参照）。そして、飲料水冷却部導水路２１、飲料水冷却部１１、熱水循環路２２Ｃ、及び飲料水吐水路２２Ｄに満たされた熱水が冷めて、所定の温度以下になると、冷却部材１１Ｃを駆動して、飲料水冷却部１１の仕切り部１１Ａの下側の所定の温度以下になった熱水を冷却して冷却水にする（図２２（Ｄ）参照。）。なお、飲料水冷却部１１には飲料水冷却部１１内に満たされた飲料水の温度を検出する温度センサ（図示せず）が設けられており、制御部１５において、温度センサによって検出した温度が所定の温度以下にならないと冷却水側電磁弁２２Ｆが開かない制御が実行される。これにより、例えば、飲料水冷却部１１内に所定の温度以上である熱水が満たされている場合、使用者が冷却水供給ボタン１４Ａを押しても、所定の温度以上である熱水が不用意に吐水されることを防止することができる。
【００７３】
飲料水吐水部２３は、図２０に示すように、管状をなしている。飲料水吐水部２３は合成樹脂で形成されている。飲料水吐水部２３は管状の一端が飲料水吐水路２２Ｄの循環路電磁弁２２Ｅと冷却水側電磁弁２２Ｆとの間に連通している。また、飲料水吐水部２３は管状の他端がウォーターサーバー本体５０の前側に設けられた後述する供給部１３の上面部１３Ｄの下側に設けられた飲料水吐水口２３Ａに連通している。
【００７４】
こうして構成された飲料水吐水部２３は飲料水吐水部導水路２２から飲料水冷却部１１で冷却された冷却水、及び飲料水加熱部１２で加熱された熱水を後述する飲料水吐水口２３Ａから吐水して使用者に供給することができる。
【００７５】
飲料水吐水部２３は合成樹脂で形成されている。このため、飲料水吐水部２３は飲料水吐水路２２Ｄの冷却水側電磁弁２２Ｆと熱水側電磁弁２２Ｇとの間から熱が伝わり難い。つまり飲料水吐水部２３は雑菌が繁殖し易い温度まで上昇し難い。これにより、飲料水吐水部２３は雑菌が繁殖することを抑えることができる。こうして、飲料水供給機能部１が構成されている。
【００７６】
炭酸ガス供給機能部２は、図１に示すように、炭酸ガス導入部３０、炭酸ガス流路３２、及び炭酸ガス噴射部３１を有している。炭酸ガス導入部３０はウォーターサーバー本体５０の前側の下部の内側に設けられている（図１４、１５参照。）。炭酸ガス導入部３０は、図９に示すように、炭酸ガス導入口３０Ａ及び第２案内部であるボンベ案内部３０Ｂを有している。
【００７７】
炭酸ガス導入口３０Ａは円筒状をなして上下方向に伸びている。炭酸ガス導入口３０Ａは円筒状の下端が開口して開口部３０Ｆを形成している。炭酸ガス導入口３０Ａは円筒状の内周面に周方向に雌ねじが形成されている。また、炭酸ガス導入口３０Ａは円筒状の上端が円筒状の内側に向けて平板状に伸びた炭酸ガス導入口上壁３０Ｃが設けられている。また、炭酸ガス導入口上壁３０Ｃは内周側の下面から下方向に円筒状をなして突出した凸部３０Ｄが形成されている。また、炭酸ガス導入口上壁３０Ｃは内周側の上面に後述する管状をなした炭酸ガス流路３２の管状の一端が連結されている。炭酸ガス導入口３０Ａは円筒状の凸部３０Ｄが炭酸ガス流路３２の一端に連通している。
【００７８】
ボンベ案内部３０Ｂは円筒状をなし、炭酸ガス導入口３０Ａの円筒状の外側に炭酸ガス導入口３０Ａを覆い上下方向に伸びている。また、ボンベ案内部３０Ｂは円筒状の中心軸が炭酸ガス導入口３０Ａの円筒状の中心軸上に配置されている。ボンベ案内部３０Ｂは炭酸ガス導入口３０Ａの外周面に対向する上下方向の区間が炭酸ガス導入口３０Ａの外周面に当接している。ボンベ案内部３０Ｂは炭酸ガス導入口３０Ａの外周面に対向する上下方向の区間の下側から径方向の外側に向けて湾曲しつつ拡径して下方向に伸びる拡径部３０Ｇが形成されている。ボンベ案内部３０Ｂは拡径部３０Ｇの下端から円筒状の直径が一定に下方向に伸びる直線部３０Ｈが形成されている。直線部３０Ｈは円筒状の内径が後述するボンベ５２のボンベ本体５２Ａの外径より僅かに大きい。ボンベ案内部３０Ｂは直線部３０Ｈの下端が炭酸ガス導入口３０Ａの下端より下方に伸びて開口している。ボンベ案内部３０Ｂは上端が円筒状の内側に向けて平板状に伸びたボンベ案内部上壁３０Ｅが設けられている。ボンベ案内部上壁３０Ｅは内周側の下面が炭酸ガス導入口上壁３０Ｃの上面に当接している。
【００７９】
こうして構成された炭酸ガス導入部３０はボンベ５２から吐出した炭酸ガスを炭酸ガス導入口３０Ａからウォーターサーバー内に導入することができる。詳しくは、炭酸ガス導入部３０はボンベ案内部３０Ｂの直線部３０Ｈの円筒状の開口した下端からボンベ５２の炭酸ガス吐出部５２Ｂを挿入しボンベ５２を挿入する。また、炭酸ガス導入部３０はボンベ案内部３０Ｂに対してボンベ５２を斜め方向から挿入する場合であっても、ボンベ５２の炭酸ガス吐出部５２Ｂが拡径部３０Ｇの内側に滑るように沿い炭酸ガス導入口３０Ａに確実に案内される。つまり、ボンベ案内部３０Ｂはボンベ５２を案内し、ボンベ５２の炭酸ガス吐出口５２Ｃを炭酸ガス導入部３０の炭酸ガス導入口３０Ａに連通させる。このため、このウォーターサーバーは炭酸ガス導入部３０に設けられたボンベ案内部３０Ｂでボンベ５２の炭酸ガス吐出口５２Ｃを炭酸ガス導入口３０Ａに確実に案内し連通させることができる。このため、このウォーターサーバーの炭酸ガス導入部３０はボンベ５２の炭酸ガス吐出口５２Ｃと炭酸ガス導入口３０Ａとで接続不良が生ずることを防止することができ、接続不良によって炭酸ガスが漏出することを防止することができる。
【００８０】
ここで、炭酸ガス導入部３０に取り付けるボンベ５２の構成を説明する。ボンベ５２は金属製である。ボンベ５２は、図９に示すように、ボンベ本体５２Ａ及び炭酸ガス吐出部５２Ｂを有している。ボンベ本体５２Ａ及び炭酸ガス吐出部５２Ｂは円筒状をなしている。炭酸ガス吐出部５２Ｂは外径がボンベ本体５２Ａの外径より小さい。炭酸ガス吐出部５２Ｂは円筒状の基端をボンベ本体５２Ａの円筒状の一端に同軸上に設けられている。炭酸ガス吐出部５２Ｂは外周面に周方向に雄ねじが形成されている。ボンベ５２はおよそ７４グラムの炭酸ガスを貯蔵することができる。このウォーターサーバーはボンベ５２を１つ取り付けると、およそ１０リットルの炭酸水を製造することができる。つまり、ウォーターサーバーは炭酸水を製造する毎に新しいボンベ５２を取り付ける必要がない。
【００８１】
また、炭酸ガス導入部３０は炭酸ガス導入口３０Ａにボンベ５２の炭酸ガス吐出部５２Ｂをねじ込むことができる。すると、炭酸ガス吐出部５２Ｂの円筒状の先端面が炭酸ガス導入口３０Ａに設けられた凸部３０Ｄの下端に押し付けられ、凸部３０Ｄの下端が円筒状の先端面を貫通し、ボンベ５２を開栓することができる。こうして、炭酸ガス吐出部５２Ｂの先端面に炭酸ガス吐出口５２Ｃを形成することができる。こうして、炭酸ガス導入部３０はボンベ５２の炭酸ガス吐出口５２Ｃから流出した炭酸ガスが炭酸ガス導入口３０Ａを介して炭酸ガス流路３２に導入される。つまり、炭酸ガス導入部３０は炭酸ガスをウォーターサーバー内に導入する炭酸ガス導入口３０Ａを有している。
【００８２】
炭酸ガス流路３２は、図１に示すように、管状をなして伸びている。炭酸ガス流路３２は管状の一端が炭酸ガス導入口３０Ａの炭酸ガス導入口上壁３０Ｃに連結され、他端部の内周面には雌ねじが形成されており後述する第２開閉弁である炭酸ガス噴射部開閉弁３１Ａの上部がねじ込まれて連結されている。炭酸ガス流路３２は一端部に減圧弁３２Ａが連通して設けられている。炭酸ガス流路３２は炭酸ガス導入部３０の近傍に屈伸自在なヒンジ部３２Ｂが設けられている（図２４（Ａ）〜（Ｄ）参照。）。
【００８３】
炭酸ガス流路３２は炭酸ガス噴射部開閉弁３１Ａに隣り合い炭酸ガス電磁弁３２Ｃが連通して設けられている。炭酸ガス電磁弁３２Ｃは制御部１５に電気的に接続されている。
【００８４】
こうして構成された炭酸ガス流路３２は炭酸ガス導入部３０から導入された炭酸ガスを炭酸ガス噴射部３１に導くことができる。詳しくは、図１に示すように、炭酸ガス流路３２は減圧弁３２Ａを調節することによって、炭酸ガス導入口３０Ａから導入され炭酸ガス噴射部３１側へ流れる炭酸ガスの流量を所望の流量に調節することができる。減圧弁３２Ａは装置を製造する際に予め所定の流量に調節しても良く、使用者が操作して所望の流量に調節しても良い。そして、炭酸ガス流路３２は炭酸ガスを炭酸ガス電磁弁３２Ｃの流入ポート側まで導入することができる。また、炭酸ガス流路３２は炭酸ガス電磁弁３２Ｃを使用者が使用する際に制御部１５に電気的に接続された操作部１４の炭酸ガス供給ボタン１４Ｃを押している間、開くことができる。また、炭酸ガス電磁弁３２Ｃは炭酸ガス供給ボタン１４Ｃを押すことを止めると閉じることもできる。つまり、炭酸ガス電磁弁３２Ｃは炭酸ガス導入部３０と炭酸ガス噴射部３１とを連通する炭酸ガス流路３２を開閉することができる。
【００８５】
また、炭酸ガス流路３２はヒンジ部３２Ｂを操作し、炭酸ガス導入部３０を回動させて炭酸ガス導入口３０Ａの開口した下端をボンベ５２を装着する作業者の方向であるウォーターサーバー本体５０の前側に向けることができる（図２４（Ａ）参照。）。このため、炭酸ガス流路３２はボンベ５２を装着し炭酸ガス吐出口５２Ｃを炭酸ガス導入口３０Ａに連通させる際、炭酸ガス導入口３０Ａを作業者の方向に向けることができるため、ボンベ５２を容易に装着することができる。
【００８６】
また、炭酸ガス流路３２はヒンジ部３２Ｂを操作し、炭酸ガス導入部３０を回動させて炭酸ガス導入口３０Ａの開口した下端を鉛直方向の下向きに向けることができる（図２４（Ｄ）参照）ため、ボンベ５２の装着が終了した後、炭酸ガス導入口３０Ａがボンベ５２と共に回動しボンベ５２を装置内に収納することができる。こうして、このウォーターサーバーはボンベ５２を装置内に容易に収納することができるため、前後寸法を小さくすることができる。
【００８７】
炭酸ガス噴射部３１はウォーターサーバー本体５０の前側に設けられた後述する供給部１３に設けられている。炭酸ガス噴射部３１は、図１１、１２に示すように、筒状をなしており、上下方向に伸びている。また、炭酸ガス噴射部３１は上下方向の下部の水平方向の断面形状の外径がほぼ四角形状をなしている（図示せず。）。また、炭酸ガス噴射部３１は、上部の外周面の周方向に雄ねじが形成されており、炭酸ガス流路３２の管状の他端部にねじ込まれている。炭酸ガス噴射部３１は上部の内径が小さく、上下中央部の内径が上部より大きく、下部の内径が上部及び上下中央部より大きく形成されている。また、炭酸ガス噴射部３１の下部の内側には、周方向に溝部３１Ｋが設けられている。また、炭酸ガス噴射部３１には筒状体３１Ｃ、炭酸ガス噴射部開閉弁側弁体３１Ｇ、及び炭酸ガス噴射部開閉弁側バネ３１Ｈが設けられている。
筒状体３１Ｃは円筒状をなしており上下方向に伸びている。筒状体３１Ｃの下側は外径及び内径が縮径されて炭酸ガス噴射口３１Ｆを形成している。筒状体３１Ｃは上側が炭酸ガス噴射部３１の上下中央部に挿入されて固定されている。また、筒状体３１Ｃの下側の外周面と、炭酸ガス噴射部３１の下部の内周面との間は周方向の全周にわたり所定の間隔が設けられている。
炭酸ガス噴射部開閉弁側弁体３１Ｇは上端部が閉鎖され、ほぼ円筒状をなして上下方向に伸びて形成されている。また、炭酸ガス噴射部開閉弁側弁体３１Ｇの上下中央部には上下方向に伸びる複数のスリットが設けられている。炭酸ガス噴射部開閉弁側弁体３１Ｇは閉鎖された上端部に中心軸が上下方向になる向きにＯリング３１Ｄが設けられている。Ｏリング３１Ｄの外周面は、炭酸ガス噴射部開閉弁側弁体３１Ｇの閉鎖された上端部の外周面から外方向に突出しており、筒状体３１Ｃの縮径した下側の上端に外周面の全周が当接している。
炭酸ガス噴射部開閉弁側バネ３１Ｈは炭酸ガス噴射部開閉弁側弁体３１Ｇの上側に設けられている。炭酸ガス噴射部開閉弁側バネ３１Ｈは圧縮コイルバネである。炭酸ガス噴射部開閉弁側バネ３１Ｈは上下方向に配置されて下端が炭酸ガス噴射部開閉弁側弁体３１Ｇの閉鎖された上端部に連結されている。また、炭酸ガス噴射部開閉弁側バネ３１Ｈの上端は炭酸ガス噴射部３１の上部の下端に連結されている。炭酸ガス噴射部開閉弁側弁体３１Ｇは下方向に炭酸ガス噴射部開閉弁側バネ３１Ｈの弾性力が付与されている。つまり、炭酸ガス噴射部開閉弁側弁体３１Ｇは閉鎖された上端部のＯリング３１Ｄの外周面が筒状体３１Ｃの炭酸ガス噴射口３１Ｆの内周面の上端に当接して、閉鎖された上端部によって炭酸ガス噴射口３１Ｆを閉鎖することができる。
【００８８】
こうして形成された炭酸ガス噴射部３１は、炭酸ガス噴射部開閉弁３１Ａが、炭酸ガス噴射部３１の上下中央部、筒状体３１Ｃ、炭酸ガス噴射部開閉弁側弁体３１Ｇ、及び炭酸ガス噴射部開閉弁側バネ３１Ｈで構成されており、逆止弁案内部３１Ｂが、炭酸ガス噴射部３１の下部で構成されている。
【００８９】
また、逆止弁案内部３１Ｂの筒状の内側には係合部材３１Ｊが設けられている。係合部材３１Ｊは奥行方向の寸法が左右方向の寸法より大きい環状をなしている。係合部材３１Ｊは後述する炭酸水作成容器４０の炭酸ガス流入部４０Ｂの逆止弁４０Ｇが逆止弁案内部３１Ｂに挿入されると、逆止弁４０Ｇの外周面の上端が係合部材３１Ｊに当接しつ、係合部材３１Ｊを左右方向に押し拡げる。この際、係合部材３１Ｊは逆止弁案内部３１Ｂの筒状の内側に形成された溝部３１Ｋに入り込む。そして、炭酸ガス流入部４０Ｂの逆止弁４０Ｇが炭酸ガス噴射部３１の炭酸ガス噴射部開閉弁３１Ａに連通すると、係合部材３１Ｊは逆止弁４０Ｇの外周面に形成された係合溝４０Ｓに係合して、逆止弁４０Ｇと炭酸ガス噴射部開閉弁３１Ａとが連通した状態を保持することができる。
【００９０】
また、逆止弁案内部３１Ｂは筒状の外側の前側にプッシュボタン３１Ｌ（図１８参照）が設けられている。プッシュボタン３１Ｌは係合部材３１Ｊによる逆止弁４０Ｇの把持を解除することができる。詳しくは、プッシュボタン３１Ｌを逆止弁案内部３１Ｂの筒状の内側に向けて押し込むと、係合部材３１Ｊが前方向から押される。すると、係合部材３１Ｊの左右方向の寸法が大きくなる。そして、係合部材３１Ｊと逆止弁４０Ｇの係合溝４０Ｓとの係合が解除される。こうして、逆止弁４０Ｇと炭酸ガス噴射部開閉弁３１Ａとが連通した状態を解除して、炭酸水作成容器４０をウォーターサーバー本体５０から取り外すことができる。
【００９１】
こうして構成された炭酸ガス噴射部３１は上部が炭酸ガス流路３２の他端部にねじ込まれ、炭酸ガス噴射部開閉弁３１Ａがウォーターサーバー本体５０の前側に設けられた後述する供給部１３の上面部１３Ｄの下側に配置されている。炭酸ガス噴射部３１は炭酸ガス噴射口３１Ｆから炭酸ガス導入部３０から導入された炭酸ガスを噴射して炭酸ガスを使用者に供給することができる。詳しくは、炭酸ガス噴射部３１は炭酸水作成容器４０の炭酸ガス流入部４０Ｂの逆止弁４０Ｇを炭酸ガス噴射部３１の逆止弁案内部３１Ｂに挿入して案内して、炭酸水作成容器４０の炭酸ガス流入部４０Ｂの逆止弁４０Ｇを炭酸ガス噴射部３１の炭酸ガス噴射部開閉弁３１Ａに連通させる。このとき、炭酸ガス噴射部３１は炭酸ガス噴射部開閉弁３１Ａの炭酸ガス噴射部開閉弁側弁体３１Ｇの下端面が炭酸ガス流入部４０Ｂの逆止弁４０Ｇの逆止弁側弁体４０Ｑの上端面によって押し上げられる。すると、炭酸ガス噴射部開閉弁側弁体３１ＧのＯリング３１Ｄと炭酸ガス噴射口３１Ｆの内周面の上端との間に隙間が形成される。このとき、逆止弁側弁体４０ＱのＯリング４０Ｖの外周面と、逆止弁４０Ｇの内部に縮径して形成された炭酸ガス流入口４０Ｎの下側との間にも隙間が形成される。つまり、炭酸ガス噴射部３１に設けられた炭酸ガス噴射部開閉弁３１Ａは、炭酸ガス流入部４０Ｂの炭酸ガス流入口４０Ｎを炭酸ガス噴射口３１Ｆに連通させると炭酸ガス流入部４０Ｂに備えられた逆止弁４０Ｇに連動して開く。つまり、このウォーターサーバーの炭酸ガス噴射部３１は炭酸水作成容器４０の炭酸ガス流入口４０Ｎが炭酸ガス噴射口３１Ｆに連通していないと炭酸ガス噴射部開閉弁３１Ａが開かない。このため、このウォーターサーバーは炭酸水作成容器４０の炭酸ガス流入口４０Ｎが炭酸ガス噴射口３１Ｆに連通していない状態で炭酸ガス電磁弁３２Ｃが不用意に開いても、炭酸ガスが炭酸ガス噴射口３１Ｆから噴出することを抑えることができる。
【００９２】
炭酸ガス噴射部３１は使用者が操作部１４の炭酸ガス供給ボタン１４Ｃを押している間、炭酸ガス電磁弁３２Ｃを開いて炭酸ガス導入部３０から導入された炭酸ガスを炭酸ガス噴射口３１Ｆから噴射し炭酸水作成容器４０内に流入させることができる。また、炭酸ガス供給ボタン１４Ｃを押すことを止めると炭酸ガス電磁弁３２Ｃが閉じて、炭酸ガス噴射口３１Ｆからの炭酸ガスの噴射を停止させて、炭酸水作成容器４０内への炭酸ガスの流入を止めることもできる。このウォーターサーバーは装置内に炭酸水を製造するための構造を設けていないため、装置内の構造を簡単にすることができる。また、このウォーターサーバーは装置内に炭酸水を製造するための構造を設ける空間が不要であるため、より装置の外形寸法を小さくすることができる。こうして、炭酸ガス供給機能部２が構成されている。
【００９３】
供給部１３は、ウォーターサーバー本体５０の上下中央部の前側に設けられている（図１４、１５参照。）。供給部１３は、図１６、１８に示すように、左右中央部が後方向に窪んだ凹部１３Ａが形成されている。
【００９４】
供給部１３は凹部１３Ａの右側に後方向に窪んだ第１案内部である貯留部案内部１３Ｂが形成されている。貯留部案内部１３Ｂは左右方向の断面形状において曲率半径がほぼ一定に窪んで形成されている。貯留部案内部１３Ｂは曲率半径が炭酸水作成容器４０の貯留部４０Ａの円筒状の外径とほぼ同じである。
【００９５】
供給部１３は凹部１３Ａ及び貯留部案内部１３Ｂの下端に平板状に前方向に伸びた下面部１３Ｃが形成されている。下面部１３Ｃは平板状の中央部に上下方向に貫通した複数の排水孔１３Ｅが設けられている。排水孔１３Ｅは飲料水吐水口２３Ａから飲料水を吐水して炭酸水作成容器４０に流入させる際、炭酸水作成容器４０に流入しなかった水を下面部１３Ｃの直下に設けられたドリップトレイ５１に流すことができる。平板状の下面部１３Ｃ、及びドリップトレイ５１は供給部１３から取り外すことができる（図示せず。）。こうして、ドリップトレイ５１に溜まった水を容易に捨てることができる。また、このウォーターサーバーは下面部１３Ｃ、及びドリップトレイ５１を取り外すことによって、より上下方向の寸法が大きい炭酸水作成容器を供給部１３に配置させることができる。このため、このウォーターサーバーはよりさまざまな炭酸水作成容器に冷却水、熱水、及び炭酸ガスを流入させることができる。供給部１３は凹部１３Ａ及び貯留部案内部１３Ｂの上端に平板状に前方向に伸びた上面部１３Ｄが連続して形成されている。上面部１３Ｄは前端がウォーターサーバー本体５０の外周面に連続している。
【００９６】
供給部１３は、図１４、１８に示すように、上面部１３Ｄの下側の左右中央部に飲料水吐水口２３Ａが設けられている。また、供給部１３は上面部１３Ｄの下側の右側に炭酸ガス噴射部３１が設けられている。つまり、このウォーターサーバーは飲料水吐水部２３と炭酸ガス噴射部３１とが並設されている。このため、このウォーターサーバーは飲料水吐水部２３から取り出した冷水に炭酸ガス噴射部３１から直ぐに炭酸ガスを噴射して混ぜることができる。これにより、このウォーターサーバーは、冷却水が温まる前に即時に炭酸水を製造することができるため、より多くの炭酸ガスを冷却水に混ぜることができ、より高い濃度の炭酸水を製造することができる。炭酸ガス噴射部３１は炭酸ガス噴射部開閉弁３１Ａの炭酸ガス噴射口３１Ｆの中心を貯留部案内部１３Ｂの曲率半径の中心に合わせて設けられている（図１６参照。）。また、供給部１３は飲料水吐水口２３Ａの前側に隣り合い手元灯２３Ｂが設けられている（図１８参照。）。手元灯２３ＢはＬＥＤ素子等が用いられている。これにより、このウォーターサーバーは手元灯２３Ｂが点灯することによって供給部１３を照らすことができるため、周囲が暗い場合であっても良好に使用することができる。
【００９７】
こうして構成された供給部１３は上面部１３Ｄの下側に設けられた飲料水吐水口２３Ａから使用者に冷却水及び熱水を供給することができる。詳しくは、供給部１３は後述する炭酸水作成容器４０の貯留部４０Ａを上面部１３Ｄの下側に設けられた飲料水吐水口２３Ａの直下に配置することができる。そして、飲料水吐水口２３Ａから吐水した冷却水を冷却水流入部４０Ｄを介して炭酸水作成容器４０の貯留部４０Ａに流入させることができる。
【００９８】
また、供給部１３は上面部１３Ｄの下側に設けられた炭酸ガス噴射部３１から使用者に炭酸ガスを供給することができる。詳しくは、供給部１３は貯留部案内部１３Ｂに炭酸水作成容器４０の貯留部４０Ａの外周面を当接させることができる。これにより、供給部１３は炭酸水作成容器４０の貯留部４０Ａに取り付けられた炭酸ガス流入部４０Ｂの逆止弁４０Ｇを炭酸ガス噴射部３１の逆止弁案内部３１Ｂに容易に挿入することができる。つまり、貯留部案内部１３Ｂは冷却水を貯留し、炭酸ガスを流入させる炭酸ガス流入口４０Ｎを有した炭酸水作成容器４０を案内し、炭酸ガス流入部４０Ｂの炭酸ガス流入口４０Ｎを炭酸ガス噴射口３１Ｆに容易に連通させることができる。これにより、このウォーターサーバーは炭酸水作成容器４０に設けられた炭酸ガス流入口４０Ｎを炭酸ガス噴射口３１Ｆに確実に案内し連通させることができる。このため、このウォーターサーバーは、炭酸ガス流入部４０Ｂと炭酸ガス噴射部３１とを容易に連通させることができる。また、供給部１３は意図せずに炭酸ガス流入部４０Ｂが炭酸ガス噴射部３１や炭酸ガス噴射部３１の周辺にぶつかり破損したり変形したりすることを抑えることができる。そして、炭酸ガス噴射部３１から噴射した炭酸ガスを炭酸水作成容器４０に流入させることができる。
【００９９】
また、供給部１３は、飲料水吐水部２３と炭酸ガス噴射部３１とが並設されており、貯留部４０Ａに流入した冷却水が温まる前に即時に炭酸水を製造することができるため、より多くの炭酸ガスを冷却水に溶け込ませることができ、より高い濃度の炭酸水を製造することができる。こうして、供給部１３が構成されている。
【０１００】
炭酸水作成容器４０は、図１０に示すように、貯留部４０Ａ、取手部４１、及び炭酸ガス流入部４０Ｂを有している。貯留部４０Ａは冷却水流入部４０Ｄを有している。貯留部４０Ａは円筒状をなし上下方向に伸び、下端が下方向に湾曲した閉鎖壁部４０Ｐで閉鎖されている。また、閉鎖壁部４０Ｐの下側には後述する取手部４１と連結する円盤状をなした連結部４０Ｌが設けられている。円盤状をなした連結部４０Ｌの外周には、外方向に向けて伸びる複数の係止爪部４０Ｍが設けられている。貯留部４０Ａは円筒状の上端に上方向に膨らみつつ内側に向けて湾曲して伸びた貯留部上壁４０Ｃが形成されている。冷却水流入部４０Ｄは円筒状をなし、貯留部上壁４０Ｃの内周の上面から立ち上がって伸びている。冷却水流入部４０Ｄは外径が貯留部４０Ａの外径と比べて小さい。また、冷却水流入部４０Ｄは外周面に周方向に雄ねじが形成されている。また、貯留部４０Ａは円筒状の上部に周方向に線状に伸びた目盛り４０Ｔが設けられている。
取手部４１は、受け部４１Ａ、及び取手部本体４１Ｂを具備している。受け部４１Ａは底を有した円筒状である。また、受け部４１Ａの底には、貯留部４０Ａの連結部４０Ｌの係止爪部４０Ｍが係止する複数の被係止部４１Ｃが設けられている。取手部本体４１Ｂは帯状をなしており、受け部４１Ａの円筒状の上端の一部から受け部４１Ａの円筒状の形状に倣って上方向に伸び、上端部４１Ｄが受け部４１Ａの円筒状の中心軸から離れる方向に曲がっている。また、受け部４１Ａの円筒状の中心軸から離れた側の上端部４１Ｄには上端部４１Ｄから垂下する垂下部４１Ｅが設けられている。また、取手部本体４１Ｂの上端部４１Ｄは帯状の長手方向の中央部が下方向に窪んでいる。また、垂下部４１Ｅは帯状の長手方向の中央部が受け部４１Ａの円筒状の中心軸に向けて窪んでいる。
貯留部４０Ａを取手部４１から取り外す場合、取手部４１の受け部４１Ａに対して貯留部４０Ａを中心軸周りに所定の角度、回動させる。すると、取手部４１の複数の被係止部４１Ｃに係止していた貯留部４０Ａの連結部４０Ｌの複数の係止爪部４０Ｍが複数の被係止部４１Ｃから外れる。こうして、貯留部４０Ａを取手部４１から取り外すことができる。
また、貯留部４０Ａを取手部４１に取り付ける場合、取手部４１の受け部４１Ａに貯留部４０Ａの閉鎖壁部４０Ｐ側を挿入する。そして、受け部４１Ａに対して貯留部４０Ａを押付けつつ、取手部４１の受け部４１Ａに対して貯留部４０Ａを中心軸周りに所定の角度、回動させる。このとき、取手部４１の受け部４１Ａに対する貯留部４０Ａの回動する方向は、貯留部４０Ａを取手部４１から取り外すときに回動する方向と反対方向である。すると、貯留部４０Ａの連結部４０Ｌの複数の係止爪部４０Ｍが取手部４１の複数の被係止部４１Ｃに係止する。こうして、貯留部４０Ａを取手部４１に取り付けることができる。
炭酸水作成容器４０を把持する場合、図１３（Ａ）に示すように、貯留部４０Ａの外周面と垂下部４１Ｅとの間に指を差し込んで炭酸水作成容器４０を把持すると、使用者の手から炭酸水作成容器４０が脱落し難くい。また、図１３（Ｂ）に示すように、取手部４１の上端部４１Ｄと垂下部４１Ｅに設けられた窪みに親指が嵌るように垂下部４１Ｅを把持すると取手部４１を良好に把持することができる。
【０１０１】
炭酸ガス流入部４０Ｂは、図１０〜１２に示すように、炭酸ガス流入路４０Ｅ、蓋部４０Ｆ、及び逆止弁４０Ｇを有している。炭酸ガス流入路４０Ｅは管状をなし上下方向に伸びている。炭酸ガス流入路４０Ｅは下端に炭酸ガス流出口４０Ｈが設けられている。また、炭酸ガス流入路４０Ｅは上端部の内周面に周方向に雌ねじが形成されている。蓋部４０Ｆは円環部４０Ｊ及び円筒部４０Ｋを具備している。円環部４０Ｊは炭酸ガス流入路４０Ｅの上端の外周面から外側の径方向に円環状をなして伸びている。円筒部４０Ｋは円筒状をなし円環部４０Ｊの外周面から垂下している。円筒部４０Ｋは円筒状の内周面に周方向に雌ねじが形成されている。また、炭酸水作成容器４０は炭酸ガス流入部４０Ｂを貯留部４０Ａにねじ込んだ際、炭酸ガス流入路４０Ｅの下端が貯留部４０Ａの目盛り４０Ｔの下方近傍に位置している（図１０参照。）。
【０１０２】
逆止弁４０Ｇは、筒状をなしており、上下方向に伸びている。また、逆止弁４０Ｇの上端部の外側には内側に向けて窪んだ係合溝４０Ｓが設けられている。また、逆止弁４０Ｇは上下中央部の水平方向の断面形状の外形が正六角形状をなしている（図１０参照。）。また、逆止弁４０Ｇは、下部の外周面の周方向に雄ねじが形成されており、炭酸ガス流入路４０Ｅの上端部にねじ込まれている。また、逆止弁４０Ｇには、中央部に正六角形状の貫通孔４０Ｗが貫通して設けられ、平板状をなした回り止め部４０Ｕが挿通されている。具体的には、回り止め部４０Ｕは炭酸ガス流入路４０Ｅの上端部にねじ込まれ逆止弁４０Ｇの正六角形状をなした部分に正六角形状をなした貫通孔４０Ｗを挿通して、平板状の下面が円環部４０Ｊの上面に固定されている（図１０参照。）。回り止め部４０Ｕの正六角形状をなした貫通孔４０Ｗと逆止弁４０Ｇの正六角形状をなした部分とがかみ合っているため、炭酸ガス流入路４０Ｅの上端部にねじ込まれた逆止弁４０Ｇが炭酸ガス流入路４０Ｅの上端部から緩むことを抑えることができる。
【０１０３】
また、逆止弁４０Ｇの内部には逆止弁側弁体４０Ｑ、及び逆止弁側バネ４０Ｒが設けられている。逆止弁側弁体４０Ｑは下端部が閉鎖され、ほぼ円筒状をなして上下方向に伸びて形成されている。逆止弁側弁体４０Ｑの上下中央部には上下方向に伸びる複数のスリットが設けられている。逆止弁側弁体４０Ｑは閉鎖された下端部に中心軸が上下方向になる向きにＯリング４０Ｖが設けられている。Ｏリング４０Ｖの外周面は、逆止弁側弁体４０Ｑの閉鎖された下端部の外周面から外方向に突出しており、逆止弁４０Ｇの内部に縮径して形成された炭酸ガス流入口４０Ｎの下側に外周面の全周が当接している。
【０１０４】
逆止弁側バネ４０Ｒは逆止弁側弁体４０Ｑの外周に挿通して設けられている。逆止弁側バネ４０Ｒは圧縮コイルバネである。逆止弁側バネ４０Ｒは上下方向に配置されて上端が逆止弁側弁体４０Ｑの上端に拡径して設けられたバネ係止部４０Ｘの下側に連結されている。また、逆止弁側バネ４０Ｒの下端は縮径して形成された炭酸ガス流入口４０Ｎの上側に連結されている。逆止弁側弁体４０Ｑは上方向に逆止弁側バネ４０Ｒの弾性力が付与されている。つまり、逆止弁側弁体４０Ｑは閉鎖された下端部のＯリング４０Ｖの外周面が縮径して形成された炭酸ガス流入口４０Ｎの下側に当接して、閉鎖された下端部によって炭酸ガス流入口４０Ｎを閉鎖することができる。
【０１０５】
こうして構成された炭酸水作成容器４０は内部に冷却水と炭酸ガスとを保持することができる。詳しくは、炭酸水作成容器４０は炭酸ガス流入部４０Ｂに設けられた蓋部４０Ｆの円筒部４０Ｋに設けられた雌ねじを貯留部４０Ａの冷却水流入部４０Ｄに設けられた雄ねじにねじ込む。これにより、炭酸水作成容器４０は内部を密閉することができ、内部に冷却水と炭酸ガスとを流入させて保持することができる。詳しくは、冷却水を流入させた炭酸水作成容器４０内へ炭酸ガスを流入させると、炭酸ガスが炭酸ガス流出口４０Ｈを介して炭酸水作成容器４０内に流入する。
【０１０６】
また、炭酸水作成容器４０内は上部に冷却水に溶け込まなかった炭酸ガスが保持される。この際、炭酸水作成容器４０を供給部１３から取り外し、蓋部４０Ｆを冷却水流入部４０Ｄにねじ込んだ状態で振ることによって、炭酸水作成容器４０内の冷却水と炭酸水作成容器４０の上部に保持された炭酸ガスとを攪拌することができる。これにより、炭酸水作成容器４０の上部に保持された炭酸ガスを無駄にせず、効率よく炭酸水を製造することができる。
【０１０７】
こうして構成されたウォーターサーバーは、図１５に示すように、壁面Ｗに隣り合い設置することができる。この場合、このウォーターサーバーは壁面Ｗに対して連結具５５を介して連結することができる。連結具５５は、例えば、平板状の金属を折り曲げてコ字状に形成されている。連結具５５は壁面側連結部５５Ａ、ウォーターサーバー側連結部５５Ｂ、及び中間部５５Ｃを具備している。壁面側連結部５５Ａは平板状をなしている。また、中間部５５Ｃは平板状をなしており、壁面側連結部５５Ａの平板状の端から壁面側連結部５５Ａに対して直角方向に伸びている。ウォーターサーバー側連結部５５Ｂは平板状をなしており、壁面側連結部５５Ａに対して平行に、所定の寸法を設けて配置されている。また、ウォーターサーバー側連結部５５Ｂは中間部５５Ｃの端から中間部５５Ｃに対して直角方向に伸びている。つまり、ウォーターサーバー側連結部５５Ｂは中間部５５Ｃを介して壁面側連結部５５Ａに連結している。
【０１０８】
こうして構成された連結具５５を用いて、このウォーターサーバーを壁面Ｗに隣り合い設置する。詳しくは、先ず、壁面側連結部５５Ａの平板状の一方の面を壁面Ｗに面接触して壁面Ｗに連結する。このとき、壁面側連結部５５Ａは壁面Ｗに対してねじ等を用いて連結することができる。そして、このウォーターサーバーを壁面Ｗに隣り合い配置する。このとき、連結具５５のウォーターサーバー側連結部５５Ｂを、例えば、ウォーターサーバーの背面に設けられた溝等の挿入部（図示せず）に挿入する。こうして、このウォーターサーバーは、連結具５５を介して壁面Ｗに対して連結し、壁面Ｗに隣り合い設置することができる。これによりこのウォーターサーバーは地震等の振動によって転倒することを防止することができる。
【０１０９】
次に、このウォーターサーバーへの飲料水、及び炭酸ガスの導入方法を説明する。
【０１１０】
先ず、図１、５、６に示すように、飲料水が貯蔵された袋５３をカートリッジ１０Ｆに収納する。詳しくは、袋５３に設けられた一対の被掛止部５３Ａのそれぞれの近傍を把持して、それぞれの掛止孔５３Ｂをカートリッジ１０Ｆに設けられた一対の掛止部７０の掛止部本体７０Ｋに掛止する（図２３（Ｂ）参照。）。このとき、掛止孔５３Ｂは、掛止部本体７０Ｋの第１拡径部７０Ｌの下側の位置まで挿通する（図５、６、２３（Ｂ）参照。）。こうして、カートリッジ１０Ｆに対する袋５３の向きを所定の向きにして収納することができる。そして、上蓋１０Ｊをカートリッジ周壁１０Ｈの上端に当接してカートリッジ周壁１０Ｈの上端に載置する。このとき、上蓋１０Ｊに設けられた嵌合部７０Ｎを、固定部７０Ｂの上蓋係止部７０Ｃに嵌合させる（図５参照。）。次に、飲料水が貯蔵された袋５３を収納したカートリッジ１０Ｆの凹部１０Ｔに手を掛けてカートリッジ１０Ｆを運搬し、飲料水が貯蔵された袋５３を収納したカートリッジ１０Ｆを飲料水載置部１０に載置する（図２３（Ｃ）参照。）。カバー部材１０Ｄは、カートリッジ１０Ｆを飲料水載置部１０に載置すると、カートリッジ１０Ｆの一対の突起部１０Ｙがカバー部材１０Ｄの一対の差込孔１０Ｚに挿通される。すると、これら突起部１０Ｙの下端がカバーロック解除ボタン６０の上端に当接して、カバーロック解除ボタン６０をカバー部材１０Ｄに対して下方向に押し下げる（図２（Ｂ）参照。）。すると、カバー部材収納部１０Ｋのロック解除爪挿通孔１０Ｘに挿通していた一対のロック解除爪６０Ｂがロック解除爪挿通孔１０Ｘから外れる。そして、カバー部材１０Ｄの保護壁部１０Ｍがカートリッジ１０Ｆのカートリッジ底壁１０Ｇに当接してカバー部材１０Ｄが押し下げられる。このとき、保護壁部１０Ｍのニードル挿通孔１０Ｎに飲料水載置部導水路２０のニードル部２０Ａ及びニードル下部導水管２０Ｆが挿通する。そして、カートリッジ１０Ｆの窪み部１０Ｐが飲料水載置部１０の立壁部１０Ｂに嵌合する。また、カートリッジ１０ＦのリブＲが飲料水載置部１０の溝部Ｇに嵌合する。そして、カートリッジ１０Ｆのカートリッジ底壁１０Ｇの下面が飲料水載置部１０の飲料水載置部底壁１０Ａの上面に当接する（図２（Ｃ）参照。）。このとき、飲料水載置部導水路２０のニードル部２０Ａ及びニードル下部導水管２０Ｆの上端部はカートリッジ底壁１０Ｇの貫通孔１０Ｑを挿通し、カートリッジ底壁１０Ｇの上側に突出しつつ、袋５３の所定の領域５３Ｃに突き刺さる（図２（Ｃ）参照。）。なお、飲料水が袋５３から飲料水載置部１０に漏出しても、飲料水載置部排水路１０Ｃを介してドリップトレイ５１へ流すことができる。また、袋５３内の飲料水が少なくなる等して、カートリッジ１０Ｆに新たに飲料水が充填された袋５３を収納するためにカートリッジ１０Ｆを飲料水載置部１０から取り外す場合、カートリッジ１０Ｆを僅かに傾けて運搬する（図２３（Ａ）参照。）。これにより、袋５３の所定の領域５３Ｃにニードル部２０Ａが突き刺さって袋５３の所定の領域５３Ｃに形成された孔をカートリッジ底壁１０Ｇに設けられた貫通孔１０Ｑからずらすことができるため、袋５３内からカートリッジ１０Ｆ内に漏出した飲料水が貫通孔１０Ｑからカートリッジ１０Ｆの外側に漏出することを抑えることができる。
【０１１１】
袋５３に貯蔵された飲料水は、図１に示すように、ニードル部２０Ａに設けられた飲料水導入孔２０Ｂ及び飲料水載置部導水路２０を介して仕切り部１１Ａによって仕切られた飲料水冷却部１１の上側の空間に導入される。そして、飲料水は飲料水冷却部１１の仕切り部１１Ａの外周面と飲料水冷却部１１の円筒状の内周面との間に形成された隙間を介して仕切り部１１Ａによって仕切られた飲料水冷却部１１の下側の空間に導入される。さらに、飲料水冷却部１１の下側の空間に導入された飲料水は飲料水吐水部導水路２２の冷却水流路２２Ａ側を介して、飲料水吐水路２２Ｄの冷却水側電磁弁２２Ｆの入水ポート側及び熱水循環路２２Ｃの循環路電磁弁２２Ｅの入水ポート側まで導入される。また、飲料水は仕切り部１１Ａの貫通孔１１Ｂ及び飲料水冷却部導水路２１を介して飲料水加熱部１２に導入される。さらに、飲料水加熱部１２に導入された飲料水は飲料水吐水部導水路２２の熱水流路２２Ｂ側を介して、飲料水吐水路２２Ｄの熱水側電磁弁２２Ｇの入水ポート側及び熱水循環路２２Ｃの循環路電磁弁２２Ｅの非入水ポート側まで導入される。
【０１１２】
そして、飲料水冷却部１１のフロートスイッチ１１Ｄで検出した、飲料水冷却部１１内に導入された飲料水の水位に対応する値が所定の値より大きくなると、飲料水導入電磁弁２０Ｃが閉じる。こうしてウォーターサーバー内への飲料水の導入が完了する。
【０１１３】
なお、飲料水冷却部１１に所定の量より多くの飲料水が導入された場合、フロートスイッチ１１Ｄの機能が停止する。そして、電極センサ１１Ｈが飲料水冷却部１１に導入された飲料水の水位を検出し、飲料水冷却部１１に貯蔵された飲料水の水位がフロートスイッチ１１Ｄで検出することができる水位より高くなったことを制御部１５に伝達する。これにより、このウォーターサーバーは制御部１５が装置の動作を停止させることができる。また、飲料水冷却部排水路１１Ｅにはエアフィルター１１Ｆが設けられているため、飲料水冷却部排水路１１Ｅを介して飲料水冷却部１１内に異物が侵入することを防ぐことができる。
【０１１４】
次に、図１、１４、１５、２４（Ａ）〜（Ｄ）に示すように、炭酸ガス導入部３０に炭酸ガスが貯蔵されたボンベ５２を取り付ける。
【０１１５】
先ず、炭酸ガス流路３２に設けられたヒンジ部３２Ｂを操作し、炭酸ガス導入部３０を回動させて炭酸ガス導入口３０Ａの開口した下端である開口部３０Ｆをボンベ５２を装着する作業者の方向であるウォーターサーバー本体５０の前側に向ける（図９、２４（Ａ）参照。）。
【０１１６】
次に、炭酸ガス導入部３０のボンベ案内部３０Ｂの直線部３０Ｈの円筒状に開口した下端からボンベ５２の炭酸ガス吐出部５２Ｂを挿入しボンベ５２を挿入する（図９、２４（Ｂ）参照。）。そして、ボンベ５２の炭酸ガス吐出部５２Ｂを炭酸ガス導入口３０Ａにねじ込む（図９、２４（Ｃ）参照。）。すると、炭酸ガス吐出部５２Ｂの円筒状の先端面が炭酸ガス導入口３０Ａに設けられた凸部３０Ｄの下端に押し付けられ、凸部３０Ｄの下端が円筒状の先端面を貫通し、ボンベ５２を開栓する。こうして、炭酸ガス吐出部５２Ｂの先端面に炭酸ガス吐出口５２Ｃが形成される。つまり、ボンベ案内部３０Ｂはボンベ５２を案内し、ボンベ５２の炭酸ガス吐出口５２Ｃを炭酸ガス導入部３０の炭酸ガス導入口３０Ａに連通させる。すると、ボンベ５２の炭酸ガス吐出口５２Ｃから流出した炭酸ガスは炭酸ガス導入部３０の炭酸ガス導入口３０Ａを介して炭酸ガス流路３２に導入される。
【０１１７】
このとき、炭酸ガス流路３２に設けられた減圧弁３２Ａを調節することによって、炭酸ガス導入口３０Ａから導入され炭酸ガス噴射部３１側へ流れる炭酸ガスの流量を所望の流量に調節することができる。減圧弁３２Ａは装置を製造する際に予め所定の流量に調節しても良く、使用者が操作して所望の流量に調節しても良い。そして、炭酸ガスが炭酸ガス電磁弁３２Ｃの流入ポート側まで導入される。そして、炭酸ガス流路３２に設けられたヒンジ部３２Ｂを操作し、炭酸ガス導入部３０を回動させて炭酸ガス導入口３０Ａの開口した下端を鉛直方向の下向きに向け、ボンベ５２をウォーターサーバー本体５０内に収納する（図２４（Ｄ）参照。）。つまり、炭酸ガス導入口３０Ａはボンベ５２を装着する際の開口方向と、ボンベ５２を収納した際の開口方向との間で回動することができる。このため、このウォーターサーバーは、ボンベ５２を装着し炭酸ガス吐出口５２Ｃを炭酸ガス導入口３０Ａに連通させる際、炭酸ガス導入口３０Ａを作業者の方向に向けることができるため、ボンベ５２を容易に装着することができる。また、このウォーターサーバーはボンベ５２の装着が終了した後、炭酸ガス導入口３０Ａがボンベ５２と共に回動しボンベ５２を装置内に収納することができる。こうして、このウォーターサーバーはボンベ５２を装置内に容易に収納することができるため、奥行き寸法を小さくすることができる。こうしてウォーターサーバー内への炭酸ガスの導入が完了する。
【０１１８】
このように、このウォーターサーバーは薄型に形成された飲料水を貯蔵する袋５３を、奥行方向の寸法よりも上下方向の寸法を大きい向きにしたカートリッジ１０Ｆに収納することができる。さらに、ニードル部２０Ａがカートリッジ１０Ｆの下面から上方に伸びており、袋５３に下側から上方向に突き刺さることができる。つまり、このウォーターサーバーは飲料水を貯蔵した袋５３を縦にしてカートリッジ１０Ｆに収納すると共に、ニードル部２０Ａを袋５３の直下に配置している。このため、このウォーターサーバーは奥行方向の寸法をより小さくして薄型にすることができる。
【０１１９】
また、このように、このウォーターサーバーは袋５３の被掛止部５３Ａをカートリッジ１０Ｆの掛止部７０の掛止部本体７０Ｋに吊り下げるように掛止することができる。さらに、ニードル部２０Ａがカートリッジ１０Ｆの下面から上方に伸びており、袋５３に下側から上方向に突き刺すことができる。また、この袋５３は飲料水が排出されるにしたがって外形が変形する。仮に、袋５３の被掛止部５３Ａ、及びカートリッジ１０Ｆの掛止部７０が設けられていない場合、カートリッジ１０Ｆに収納された袋５３内から飲料水が排出されるにしたがって外形が変形しつつカートリッジ１０Ｆのカートリッジ底壁１０Ｇに向けて収縮する。すると、袋５３の下側に突き刺さったニードル部２０Ａは収縮した袋５３の上側にも突き刺さり袋５３を貫通するおそれがある。つまり、このウォーターサーバーはカートリッジ１０Ｆの掛止部７０の掛止部本体７０Ｋに袋５３の被掛止部５３Ａを掛止して、袋５３をカートリッジ１０Ｆ内に吊り下げるように収納することによって、袋５３内から飲料水を排出しても、袋５３がカートリッジ１０Ｆのカートリッジ底壁１０Ｇに向けて収縮することを抑えることができる。これにより、このウォーターサーバーはニードル部２０Ａが袋５３の上側をも貫通することなく袋５３内に貯蔵された飲料水を良好にウォーターサーバー内に導入することができる。また、このウォーターサーバーは飲料水を貯蔵した袋５３の被掛止部５３Ａをカートリッジ１０Ｆの掛止部７０の掛止部本体に吊り下げるように掛止して、袋５３をカートリッジ１０Ｆに収納すると共に、ニードル部２０Ａを袋５３の直下に配置している。このため、このウォーターサーバーは奥行方向の寸法をより小さくして薄型にすることができる。
【０１２０】
また、このウォーターサーバーは使用者に冷却水と炭酸ガスとを別々に供給することができる。これにより、このウォーターサーバーは使用者が所望の量の冷却水に所望の量の炭酸ガスを混ぜて所望の量の炭酸水を製造することができる。このため、このウォーターサーバーは装置内に炭酸水を製造するための構造を設けないため、装置内の構造を簡単にすることができる。また、このウォーターサーバーは装置内に炭酸水を製造するための構造を設ける空間が不要であるため、より装置の外形を小さくすることができる。また、このウォーターサーバーは使用者の所望の量の炭酸水を製造することができるため、冷却水及び炭酸ガスを無駄に使用することを抑えることができる。
【０１２１】
したがって、実施例１のウォーターサーバーは小型化することができ、設置する場所において占有する空間を小さく抑えることができる。
【０１２２】
また、このカートリッジ１０Ｆは掛止部７０を有し、袋５３は貯蔵した飲料水が排出されるにしたがって外形が変形するものであり、カートリッジ１０Ｆ内に吊り下げられるように、掛止部７０に掛止する被掛止部５３Ａを有している。このため、このウォーターサーバーは袋５３から飲料水が排出されて袋５３が変形しても、カートリッジ１０Ｆの掛止部７０に袋５３の被掛止部５３Ａを掛止して、袋５３をカートリッジ１０Ｆ内に吊り下げるように収納することによって、袋５３内の下部に飲料水を集めることができる。これにより、このウォーターサーバーは袋５３内に貯蔵された飲料水を無駄なくウォーターサーバー内に導入することができる。
【０１２３】
また、この掛止部７０は一対がカートリッジ１０Ｆの上側であり、左右方向の互いに離れた位置に設けられ、被掛止部５３Ａは一対が、奥行方向の寸法よりも上下方向の寸法を大きい向きにした袋５３の上側であり、左右方向の両端部に設けられている。このため、このウォーターサーバーは一対の掛止部７０のそれぞれに一対の被掛止部５３Ａを掛止することによって、袋５３から飲料水が排出されて袋５３が変形する際に、袋５３にしわが形成されることを抑えることができる。これにより、このウォーターサーバーは袋５３内に貯蔵された飲料水が袋５３に形成されたしわの部分に残留することを抑えることができるため、袋５３内から水を無駄なくウォーターサーバー内に導入することができる。
【０１２４】
また、この掛止部７０は、カートリッジ１０Ｆの奥行方向の中央部に設けられている。このため、このウォーターサーバーは掛止部７０に被掛止部５３Ａを掛止することによって、カートリッジ１０Ｆの奥行方向の中央部に飲料水が貯蔵された袋５３を配置することができる。これにより、このウォーターサーバーは飲料水が貯蔵された袋５３の重心を奥行方向の中央部に配置することができるため、安定して設置することができる。
【０１２５】
また、このウォーターサーバーは、カートリッジ１０Ｆが着脱自在である。このため、このウォーターサーバーは飲料水が貯蔵された袋５３をカートリッジ１０Ｆに収納する際、使用者の所望する場所でカートリッジ１０Ｆに袋５３を収納することができる。つまり、このウォーターサーバーは使用者が作業しやすい場所でカートリッジ１０Ｆに対して飲料水が貯蔵された袋５３を収納することができる。
【０１２６】
また、このウォーターサーバーはカートリッジ１０Ｆが、飲料水吐水口２３Ａより上側に配置されている。このため、このウォーターサーバーは、飲料水吐水口２３Ａより上側に配置されたカートリッジ１０Ｆに収納された袋５３からウォーターサーバー内に飲料水を導入することができる。つまり、このウォーターサーバーは重力によって飲料水をウォーターサーバー内に導入することができる。これにより、このウォーターサーバーは飲料水を導入するためのポンプ等を設けなくて済むため、より外形寸法を小さくすることができる。
【０１２７】
＜実施例２＞
実施例２のウォーターサーバーは、図２５〜２９に示すように、飲料水載置部１１０のカバー部材収納部１１０Ｋ、飲料水載置部導水路１２０のニードル部２０Ａに飲料水導入孔１２０Ｂが形成されている点、カートリッジ１１０Ｆの掛止部１１０Ｖ、炭酸ガス噴射部１３１、炭酸水作成容器１４０の貯留部１４０Ａ、及び炭酸ガス流入部１４０Ｂ等が実施例１と相違する。他の構成は実施例１と同一であり、同一の構成は同一の符号を付し、詳細な説明を省略する。
【０１２８】
飲料水載置部１１０のカバー部材収納部１１０Ｋは、図２５（Ａ）、（Ｂ）に示すように、飲料水載置部底壁１１０Ａの上面から下方向に窪んで形成されている。カバー部材収納部１１０Ｋは円筒状をなしており、下端に円筒状の内側に向けて伸びたカバー部材収納部底壁１１０Ｌが設けられている。カバー部材収納部底壁１１０Ｌにはニードル下部導水管１２０Ｆが挿通されている。カバー部材１１０Ｄは円筒状をなして上下方向に伸びて、円筒状の下端部が飲料水載置部底壁１１０Ａに設けられたカバー部材収納部１１０Ｋに挿入されている。
【０１２９】
載置部バネ１１０Ｅは下端がカバー部材収納部１１０Ｋのカバー部材収納部底壁１１０Ｌ上面に連結され、上端がカバー部材１１０Ｄの保護壁部１１０Ｍの下面に連結されている。カバー部材１１０Ｄは上側から下方向に力が加えられると保護壁部１１０Ｍとカバー部材収納部１１０Ｋ内に収納され、保護壁部１１０Ｍの上面と飲料水載置部底壁１１０Ａの上面とが面一になる（図２５（Ｂ）参照。）。また、カバー部材１１０Ｄは上側から下方向に力を加えることを止めると載置部バネ１１０Ｅの弾性力によって上方向に移動し、円筒状の下端部がカバー部材収納部１１０Ｋに挿入されている状態に戻る。
【０１３０】
飲料水載置部導水路１２０のニードル部１２０Ａには、円錐状の外周面に貫通して設けられた飲料水導入孔１２０Ｂが形成されている。また、ニードル部１２０Ａは円錐状の下端が管状をなして上下方向に伸びるニードル下部導水管１２０Ｆの上端に連通して連結している。
【０１３１】
カートリッジ１１０Ｆは、図２６、２７に示すように、カートリッジ内周凸部１０Ｕのそれぞれの上端に柱状をなして上方向に伸びた一対の掛止部１１０Ｖが設けられている。つまり、一対の掛止部１１０Ｖはカートリッジ１１０Ｆの上側であり、左右方向の互いに離れた位置であって、カートリッジ１１０Ｆの奥行方向の中央部に設けられている。また、カートリッジ１１０Ｆのカートリッジ底壁１０Ｇの下面は下方向に突出する形状が設けられていない。
【０１３２】
炭酸ガス噴射部１３１の炭酸ガス噴射部開閉弁１３１Ａは、図２８、２９に示すように、炭酸ガス噴射部開閉弁側筒部１３１Ｃ、炭酸ガス噴射部開閉弁側上壁部１３１Ｄ、炭酸ガス噴射部開閉弁側下壁部１３１Ｅ、炭酸ガス噴射口１３１Ｆ、炭酸ガス噴射部開閉弁側弁体１３１Ｇ、及び炭酸ガス噴射部開閉弁側バネ１３１Ｈを具備している。
炭酸ガス噴射部開閉弁側筒部１３１Ｃは筒状をなし上下方向に伸びている。炭酸ガス噴射部開閉弁側上壁部１３１Ｄは炭酸ガス噴射部開閉弁側筒部１３１Ｃの上端から内側に向けて平板状に伸びている。炭酸ガス噴射部開閉弁側上壁部１３１Ｄは内側の上面に炭酸ガス流路３２の管状をなした他端が連結されている。炭酸ガス噴射部開閉弁側下壁部１３１Ｅは炭酸ガス噴射部開閉弁側筒部１３１Ｃの下端から内側に向けて平板状に伸びている。
【０１３３】
炭酸ガス噴射口１３１Ｆは炭酸ガス噴射部開閉弁側下壁部１３１Ｅの平板状の中央部に上下方向に貫通して設けられている。炭酸ガス噴射部開閉弁側弁体１３１Ｇは炭酸ガス噴射部開閉弁側下壁部１３１Ｅに設けられた炭酸ガス噴射口１３１Ｆの上側に設けられている。炭酸ガス噴射部開閉弁側弁体１３１Ｇは下方向に細い円錐台状をなしている。炭酸ガス噴射部開閉弁側弁体１３１Ｇは円錐台状の下側が炭酸ガス噴射口１３１Ｆの上側から下方向に挿通され、炭酸ガス噴射口１３１Ｆの下側に突出している。炭酸ガス噴射部開閉弁側弁体１３１Ｇは円錐台状の外周面が炭酸ガス噴射口１３１Ｆの内周面の上端に当接している。
【０１３４】
炭酸ガス噴射部開閉弁側バネ１３１Ｈは炭酸ガス噴射部開閉弁側弁体１３１Ｇの上側に設けられている。炭酸ガス噴射部開閉弁側バネ１３１Ｈは上下方向に配置されて下端が炭酸ガス噴射部開閉弁側弁体１３１Ｇの上端面に連結されている。また、炭酸ガス噴射部開閉弁側バネ１３１Ｈは上端が炭酸ガス噴射部開閉弁側上壁部１３１Ｄの下面に連結されている。炭酸ガス噴射部開閉弁側弁体１３１Ｇは下方向に炭酸ガス噴射部開閉弁側バネ１３１Ｈの弾性力が付与されている。つまり、炭酸ガス噴射部開閉弁側弁体１３１Ｇは円錐台状の外周面が炭酸ガス噴射口１３１Ｆの内周面の上端に当接して、炭酸ガス噴射口１３１Ｆを閉鎖することができる。逆止弁案内部１３１Ｂは筒状をなして炭酸ガス噴射部開閉弁側筒部１３１Ｃの外周面の下端部から垂下している。また、逆止弁案内部１３１Ｂは筒状の内側に環状をなし、環状の内側の下端部が外側に向けて傾斜した傾斜面を有した係合部材１３１Ｊが設けられている。
【０１３５】
炭酸水作成容器１４０の貯留部１４０Ａは円筒状をなし上下方向に伸び、下端が平板状をなした閉鎖部１４０Ｓ閉鎖されている。炭酸ガス流入部１４０Ｂの炭酸ガス流入路１４０Ｅは管状をなし上下方向に伸びている。炭酸ガス流入路１４０Ｅは下端に炭酸ガス流出口１４０Ｈが設けられている。蓋部１４０Ｆの円環部１４０Ｊは炭酸ガス流入路１４０Ｅの上端部の外周面から外側の径方向に円環状をなして伸びている。円筒部１４０Ｋは円筒状をなし円環部１４０Ｊの外周面から垂下している。炭酸水作成容器１４０は炭酸ガス流入部１４０Ｂを貯留部１４０Ａにねじ込んだ際、炭酸ガス流入路１４０Ｅの下端が貯留部１４０Ａの底面である閉鎖部１４０Ｓの近傍まで伸びて配置されている。
【０１３６】
炭酸ガス流入部１４０Ｂの逆止弁１４０Ｇは、逆止弁側筒部１４０Ｌ、逆止弁側上壁部１４０Ｍ、炭酸ガス流入口１４０Ｎ、逆止弁側下壁部１４０Ｐ、逆止弁側弁体１４０Ｑ、及び逆止弁側バネ１４０Ｒを具備している。逆止弁側筒部１４０Ｌは筒状をなし上下方向に伸びている。逆止弁側上壁部１４０Ｍは逆止弁側筒部１４０Ｌの上端から内側に向けて平板状に伸びている。
【０１３７】
炭酸ガス流入口１４０Ｎは逆止弁側上壁部１４０Ｍの平板状の中央部に上下方向に貫通して設けられている。逆止弁側下壁部１４０Ｐは逆止弁側筒部１４０Ｌの下端から内側に向けて平板状に伸びている。逆止弁側下壁部１４０Ｐは内側の下面が炭酸ガス流入路１４０Ｅの上端に連通している。
【０１３８】
逆止弁側弁体１４０Ｑは上方向に細い円錐台状をなし、円錐台状の上側が炭酸ガス流入口１４０Ｎの下側から上方向に挿通され、炭酸ガス流入口１４０Ｎの上側に突出している。逆止弁側弁体１４０Ｑは円錐台状の外周面が炭酸ガス流入口１４０Ｎの内周面の下端に当接している。
【０１３９】
逆止弁側バネ１４０Ｒは上下方向に配置されて上端が逆止弁側弁体１４０Ｑの下端面に連結されている。また、逆止弁側バネ１４０Ｒは下端が逆止弁側下壁部１４０Ｐの上面に連結されている。逆止弁側弁体１４０Ｑは上方向に逆止弁側バネ１４０Ｒの弾性力が付与されている。つまり、逆止弁側弁体１４０Ｑは円錐台状の外周面が炭酸ガス流入口１４０Ｎの内周面の下端に当接して、炭酸ガス流入口１４０Ｎを閉鎖することができる。
【０１４０】
こうして構成された炭酸水作成容器１４０は貯留部１４０Ａに冷却水を流入させて、炭酸ガス流入部１４０Ｂに設けられた蓋部１４０Ｆの円筒部１４０Ｋに設けられた雌ねじを貯留部１４０Ａの冷却水流入部４０Ｄに設けられた雄ねじにねじ込み、逆止弁１４０Ｇから炭酸ガスを流入させると、炭酸ガスが炭酸ガス流出口１４０Ｈを介して炭酸水作成容器１４０内に流入する。すると、炭酸ガスは閉鎖部１４０Ｓの近傍から炭酸水作成容器１４０内に流入する。これにより、炭酸水作成容器１４０は炭酸水作成容器１４０内に流入した炭酸ガスが冷却水の中を通過する距離をより長くすることができる。このため、炭酸水作成容器１４０は炭酸ガスで貯留部１４０Ａに流入した冷却水を満遍なく撹拌しつつ、炭酸ガスをより多く冷却水に溶け込ませることができる。
【０１４１】
このように、このウォーターサーバーは薄型に形成された飲料水を貯蔵する袋５３を、奥行方向の寸法よりも上下方向の寸法を大きい向きにしたカートリッジ１１０Ｆに収納することができる。さらに、ニードル部１２０Ａがカートリッジ１１０Ｆの下面から上方に伸びており、袋５３に下側から上方向に突き刺さることができる。つまり、このウォーターサーバーは飲料水を貯蔵した袋５３を縦にしてカートリッジ１１０Ｆに収納すると共に、ニードル部１２０Ａを袋５３の直下に配置している。このため、このウォーターサーバーは奥行方向の寸法をより小さくして薄型にすることができる。
【０１４２】
また、このように、このウォーターサーバーは袋５３の被掛止部５３Ａをカートリッジ１１０Ｆの掛止部１１０Ｖに吊り下げるように掛止することができる。さらに、ニードル部１２０Ａがカートリッジ１１０Ｆの下面から上方に伸びており、袋５３に下側から上方向に突き刺すことができる。また、この袋５３は飲料水が排出されるにしたがって外形が変形する。仮に、袋５３の被掛止部５３Ａ、及びカートリッジ１１０Ｆの掛止部１１０Ｖが設けられていない場合、カートリッジ１１０Ｆに収納された袋５３内から飲料水が排出されるにしたがって外形が変形しつつカートリッジ１１０Ｆのカートリッジ底壁１０Ｇに向けて収縮する。すると、袋５３の下側に突き刺さったニードル部１２０Ａは収縮した袋５３の上側にも突き刺さり袋５３を貫通するおそれがある。つまり、このウォーターサーバーはカートリッジ１１０Ｆの掛止部１１０Ｖに袋５３の被掛止部５３Ａを掛止して、袋５３をカートリッジ１１０Ｆ内に吊り下げるように収納することによって、袋５３内から飲料水を排出しても、袋５３がカートリッジ１１０Ｆのカートリッジ底壁１０Ｇに向けて収縮することを抑えることができる。これにより、このウォーターサーバーはニードル部１２０Ａが袋５３の上側をも貫通することなく袋５３内に貯蔵された飲料水を良好にウォーターサーバー内に導入することができる。また、このウォーターサーバーは飲料水を貯蔵した袋５３の被掛止部５３Ａをカートリッジ１１０Ｆの掛止部１１０Ｖに吊り下げるように掛止して、袋５３をカートリッジ１１０Ｆに収納すると共に、ニードル部１２０Ａを袋５３の直下に配置している。このため、このウォーターサーバーは奥行方向の寸法をより小さくして薄型にすることができる。
【０１４３】
したがって、実施例２のウォーターサーバーも小型化することができ、設置する場所において占有する空間を小さく抑えることができる。
【０１４４】
本発明は上記記述及び図面によって説明した実施例１、２に限定されるものではなく、例えば次のような実施例も本発明の技術的範囲に含まれる。
（１）実施例１では、飲料水冷却部、及び冷却部材を発泡スチロールで形成された断熱材で覆っているが、これに限らず、飲料水冷却部、冷却部材、及び飲料水加熱部を真空の層が設けられた断熱材で覆っても良い。この場合、断熱材に発泡スチロールを用いる場合に比べて、より断熱材の体積を小さくすることができるため、ウォーターサーバーの外形寸法をより小さくすることができる。
（２）実施例１、２では、カートリッジに一対の掛止部を設け、袋に一対の被掛止部を設けているが、これに限らず、カートリッジに一対の被掛止部を設け、袋に一対の掛止部を設けても良い。
（３）実施例１、２では、カートリッジに一対の掛止部を設け、袋に一対の被掛止部を設けているが、これに限らず、カートリッジに１つの被掛止部を設け、袋に１つの掛止部を設けても良く、カートリッジに３つ以上の被掛止部を設け、袋に３つ以上の掛止部を設けても良い。
（４）実施例１では、循環路電磁弁を開くと共に飲料水冷却部導水路に設けられたポンプを駆動する時間を、背面操作部で設定したタイミングで自動で熱水循環動作させるが、これに限らず、使用者が操作部を操作することによって所望の時間に循環路電磁弁を開くと共に飲料水冷却部導水路に設けられたポンプを駆動して熱水循環動作させても良い。
（５）実施例１では、飲料水冷却部に冷却水及び冷却されていない飲料水の貯蔵を行っているが、これに限らず、飲料水冷却部を設けず、飲料水冷却部側流路に冷却部材を巻きつけて設けても良い。この場合、装置内に飲料水冷却部を設ける空間が不要であるため、装置の外形をより小さくすることができる。
（６）実施例１では、ＬＥＤ素子を照明用貫通孔のそれぞれの下側に設け、飲料水吐水口の前側の手元灯に用いているが、ＬＥＤ素子に替えて電球等の他の発光手段を用いても良い。
（７）実施例１、２では、袋の外形形状が４角形状であったが、袋の外形形状を３角形状や、５角形以上の多角形にしても良く、円形等であっても良い。
（８）実施例１では、連結具を用いて壁面に連結して転倒を防止しているが、これに限らず、固定用ベルトやワイヤー、アンカーボルト、転倒防止板等を設けて転倒を防止しても良い。また、ウォーターサーバーの下端部の質量を増すことによって転倒を防止しても良い。
（９）実施例１では、冷却水側電磁弁や熱水側電磁弁を用いて吐水しているが、これに限らず、手動式の吐水コックを用いて吐水しても良い。この場合、電磁弁に比べて手動式の吐水コックは構造が簡単であるため、装置の内部構造をより簡単にすることができ、さらに小型化することができる。
（１０）実施例１では、貯留部の円筒状の上部に周方向に線状に伸びた目盛りを設けているが、炭酸水作成容器の貯留部の外周面に上下方向に並ぶように複数の目盛りを設けてもよい。この場合、貯留部に貯留する冷却水の量を使用者の所望の量に応じて、貯留部に貯留する冷却水の量を調節し易くすることができる。
（１１）ウォーターサーバー本体に炭酸水作成容器の取手部を係止して炭酸水作成容器を保管する保管部を設けてもよい。この場合、炭酸水作成容器を探すことなく、直ぐに使用することができる。また、保管部の形態をウォーターサーバー本体内に炭酸水作成容器を収納する形態としても良い。
（１２）実施例１、２では、飲料水を重力によってウォーターサーバー内に導入しているが、飲料水載置部導水路の飲料水導入電磁弁の下側に袋に貯蔵された飲料水を装置内に取り込むポンプを設け、このポンプを駆動することによって袋に残留する飲料水をウォーターサーバー内に強制的に導入してもよい。この場合、袋に残留する飲料水の量をより少なくすることができる。
（１３）実施例１では、プッシュボタンが逆止弁案内部の筒状の外側の前側に設けられているが、左側や右側に設けてもよい。また、左右両側に設けてもよい。
（１４）実施例１では、連結具のウォーターサーバー側連結部を、ウォーターサーバーの背面に設けられた溝等の挿入部に挿入しているが、ウォーターサーバー側連結部をウォーターサーバーの背面に対してねじ等を用いて連結してもよい。
【符号の説明】
【０１４５】
１０Ｆ、１１０Ｆ…カートリッジ（収納部）
７０、１１０Ｖ…掛止部
２０Ａ、１２０Ａ…ニードル部（流入管部）
２３…飲料水吐水部（吐水部）
２３Ａ…飲料水吐水口（吐水口）
５３…袋（容器）
５３Ａ…被掛止部
【図１】
2018058644.tif 000003
【図２】
2018058644.tif 000004
【図３】
2018058644.tif 000005
【図４】
2018058644.tif 000006
【図５】
2018058644.tif 000007
【図６】
2018058644.tif 000008
【図７】
2018058644.tif 000009
【図８】
2018058644.tif 000010
【図９】
2018058644.tif 000011
【図１０】
2018058644.tif 000012
【図１１】
2018058644.tif 000013
【図１２】
2018058644.tif 000014
【図１３】
2018058644.tif 000015
【図１４】
2018058644.tif 000016
【図１５】
2018058644.tif 000017
【図１６】
2018058644.tif 000018
【図１７】
2018058644.tif 000019
【図１８】
2018058644.tif 000020
【図１９】
2018058644.tif 000021
【図２０】
2018058644.tif 000022
【図２１】
2018058644.tif 000023
【図２２】
2018058644.tif 000024
【図２３】
2018058644.tif 000025
【図２４】
2018058644.tif 000026
【図２５】
2018058644.tif 000027
【図２６】
2018058644.tif 000028
【図２７】
2018058644.tif 000029
【図２８】
2018058644.tif 000030
【図２９】
2018058644.tif 000031